(57)【要約】ファイバ走査システムの光ファイバ要素は、縦方向側部材と、内部オリフィスと、第１の支持領域と、中心領域と、第２の支持領域とを有する運動アクチュエータを含む。光ファイバ要素は、内部オリフィスを通過し、第１のファイバジョイントを有する第１の光ファイバケーブルと、内部オリフィスを通過する第２の光ファイバケーブルとも含む。第２の光ファイバケーブルは、中心領域内に配置され、第１のファイバジョイント、第２の結合領域、光送達領域、および光放射先端に継ぎ合わせられる第２のファイバジョイントを有する。光送達領域は、第１の直径によって特徴付けられ、光放射先端は、第１の直径より小さい第２の直径によって特徴付けられる。
2020503548.tif 000002
【特許請求の範囲】
【請求項１】
ファイバ走査システムの光ファイバ要素であって、前記光ファイバ要素は、
運動アクチュエータであって、前記運動アクチュエータは、
縦方向側部材と、
前記縦方向側部材間に配置された内部オリフィスと、
前記運動アクチュエータの一端に配置された第１の支持領域と、
中心領域と、
前記運動アクチュエータの対向する端に配置された第２の支持領域と
を有する、運動アクチュエータと、
前記内部オリフィスを通過する第１の光ファイバケーブルであって、前記第１の光ファイバケーブルは、前記縦方向側部材間に配置された第１の結合領域と、前記中心領域内に配置された第１のファイバジョイントとを有する、第１の光ファイバケーブルと、
前記内部オリフィスを通過する第２の光ファイバケーブルと
を備え、
前記第２の光ファイバケーブルは、
前記中心領域内に配置され、前記第１のファイバジョイントに継ぎ合わせられる第２のファイバジョイントと、
前記縦方向側部材間に配置され、前記第２の支持領域と機械的に接触している第２の結合領域と、
前記運動アクチュエータの前記第２の支持領域から離れるように延びている光送達領域と、
光放射先端と
を有し、
前記光送達領域は、第１の直径によって特徴付けられ、前記光放射先端は、前記第１の直径より小さい第２の直径によって特徴付けられる、光ファイバ要素。
【請求項２】
要素前記第１の光ファイバケーブルの第１の結合領域を前記第１の支持領域に対して保持する機械的固定具をさらに備えている、請求項１に記載の光ファイバ。
【請求項３】
前記第１の光ファイバケーブルの前記第１の結合領域は、第１の支持領域と機械的に接触している、請求項１に記載の光ファイバ要素。
【請求項４】
前記第１のファイバジョイントおよび前記第２のファイバジョイントは、たわみ距離によって前記縦方向側部材から分離されている、請求項１に記載の光ファイバ要素。
【請求項５】
前記運動アクチュエータは、圧電アクチュエータを備え、
前記縦方向側部材は、収縮／拡張するように動作可能である第１の圧電要素と、前記第１の圧電要素と反対に拡張／収縮するように動作可能である第２の圧電要素とを備えている、請求項１に記載の光ファイバ要素。
【請求項６】
前記運動アクチュエータの前記内部オリフィスは、内径によって画定された円筒形プロファイルによって特徴付けられ、前記第２の結合領域は、前記内径と実質的に等しい外径によって特徴付けられる、請求項１に記載の光ファイバ要素。
【請求項７】
ファイバ走査システムの光ファイバ要素であって、前記光ファイバ要素は、
運動アクチュエータであって、前記運動アクチュエータは、
縦方向側部材と、
前記縦方向側部材間に配置された内部オリフィスと、
前記運動アクチュエータの一端に配置された第１の支持領域と、
中心領域と、
前記運動アクチュエータの対向する端に配置された第２の支持領域と
を有する、運動アクチュエータと、
前記第１の支持領域内に配置された保持要素と、
前記保持要素および前記内部オリフィスを通過する第１の光学導波管であって、前記第１の光学導波管は、前記保持要素内に配置された第１の篏合ジョイントを有する、第１の光学導波管と、
前記内部オリフィスを通過する第２の光学導波管と
を備え、
前記第２の光学導波管は、
前記保持要素内に配置され、前記第１の篏合ジョイントに接合された第２の篏合ジョイントと、
前記縦方向側部材間に配置され、前記第２の支持領域と機械的に接触している第２の結合領域と、
前記運動アクチュエータの第２の支持領域から離れるように延びている光送達領域と、
光放射先端と
を有し、
前記光送達領域は、第１の直径によって特徴付けられ、前記光放射先端は、前記第１の直径より小さい第２の直径によって特徴付けられる、光ファイバ要素。
【請求項８】
前記第１の光学導波管は、第１の光ファイバケーブルを備えている、請求項７に記載の光ファイバ要素。
【請求項９】
前記第２の光学導波管は、第２の光ファイバケーブルを備えている、請求項７に記載の光ファイバ要素。
【請求項１０】
前記保持要素は、前記第１の篏合ジョイントを前記第１の支持領域に対して保持するように動作可能である、請求項７に記載の光ファイバ要素。
【請求項１１】
前記第２の光学導波管は、前記第２の篏合ジョイントと前記第２の結合領域との間に配置されたたわみ領域を備え、前記たわみ領域は、たわみ距離によって前記縦方向側部材から分離されている、請求項７に記載の光ファイバ要素。
【請求項１２】
前記運動アクチュエータは、圧電アクチュエータを備えている、請求項７に記載の光ファイバ要素。
【請求項１３】
前記圧電アクチュエータは、前記第１の支持領域と、前記第１の篏合継ぎ合わせ部と、前記第２の篏合継ぎ合わせ部とを含む平面に位置付けられる、請求項１２に記載の光ファイバ要素。
【請求項１４】
テーパ状ファイバ放射先端を製作する方法であって、前記方法は、
放射領域を有する光ファイバケーブルを提供することと、
不活性層およびエッチング層を含むエッチング溶液を提供することと、
前記放射領域を前記不活性層を通して前記エッチング層の中に挿入することと、
前記放射領域の一部をエッチングすることと、
撹拌を前記放射領域と前記エッチング溶液との間に導入することと、
前記放射領域を前記エッチング層から引き出すことと
を含む、方法。
【請求項１５】
撹拌を導入することは、前記エッチング溶液の撹拌を含む、請求項１４に記載の方法。
【請求項１６】
撹拌を導入することは、前記光ファイバケーブルの撹拌を含む、請求項１４に記載の方法。
【請求項１７】
前記光ファイバケーブルの撹拌は、側方撹拌を含む、請求項１６に記載の方法。
【請求項１８】
前記光ファイバケーブルの撹拌は、縦方向撹拌を含む、請求項１６に記載の方法。
【請求項１９】
前記光ファイバケーブルの撹拌は、前記光ファイバケーブルの回転を含む、請求項１６に記載の方法。
【発明の詳細な説明】
【技術分野】
【０００１】
（関連出願の引用）
本願は、米国仮特許出願第６２／４３８，３８０号（２０１６年１２月２２日出願、名称「Ｍｅｔｈｏｄｓ  ａｎｄ  Ｓｙｓｔｅｍｓ  ｆｏｒ  Ｆａｂｒｉｃａｔｉｏｎ  ｏｆ  Ｓｈａｐｅｄ  Ｆｉｂｅｒ  Ｅｌｅｍｅｎｔｓ  ｆｏｒ  Ｓｃａｎｎｉｎｇ  Ｆｉｂｅｒ  Ｄｉｓｐｌａｙｓ」）に対する優先権を主張し、上記出願の開示は、あらゆる目的のためにその全体が参照により本明細書に引用される。
【０００２】
以下の米国出願（本願を含む）は、同時に出願され、他の出願の全開示は、あらゆる目的のためにその全体が参照により本願に引用される：
米国特許出願第１５／＿号（２０１７年１２月２１日出願、名称「ＭＥＴＨＯＤＳ  ＡＮＤ  ＳＹＳＴＥＭＳ  ＦＯＲ  ＦＡＢＲＩＣＡＴＩＯＮ  ＯＦ  ＳＨＡＰＥＤ  ＦＩＢＥＲ  ＥＬＥＭＥＮＴＳ  ＦＯＲ  ＳＣＡＮＮＩＮＧ  ＦＩＢＥＲ  ＤＩＳＰＬＡＹＳ」、代理人事件番号１０１７８２−１０６０９７３−００２２１０ＵＳ）、
米国特許出願第１５／＿号（２０１７年１２月２１日出願、名称「ＭＥＴＨＯＤＳ  ＡＮＤ  ＳＹＳＴＥＭＳ  ＦＯＲ  ＦＡＢＲＩＣＡＴＩＯＮ  ＯＦ  ＳＨＡＰＥＤ  ＦＩＢＥＲ  ＥＬＥＭＥＮＴＳ  ＵＳＩＮＧ  ＬＡＳＥＲ  ＡＢＬＡＴＩＯＮ」、代理人事件番号１０１７８２−１０６０９７６−００２３１０ＵＳ）、および、
米国特許出願第１５／＿号（２０１７年１２月２１日出願、名称「ＭＥＴＨＯＤＳ  ＡＮＤ  ＳＹＳＴＥＭＳ  ＦＯＲ  ＭＵＬＴＩ−ＥＬＥＭＥＮＴ  ＬＩＮＫＡＧＥ  ＦＯＲ  ＦＩＢＥＲ  ＳＣＡＮＮＩＮＧ  ＤＩＳＰＬＡＹ」、代理人事件番号１０１７８２−１０６０９７８−００２４１０ＵＳ）。
【背景技術】
【０００３】
現代のコンピューティングおよびディスプレイ技術は、デジタル的に再現された画像またはその一部が、現実であるように見える、もしくはそのように知覚され得る様式で視認者に提示されるいわゆる「仮想現実」または「拡張現実」体験のためのシステムの開発を促進している。仮想現実、すなわち、「ＶＲ」シナリオは、典型的には、他の実際の実世界の視覚的入力に対する透過性を伴わずに、デジタルまたは仮想画像情報の提示を伴い、拡張現実、すなわち、「ＡＲ」シナリオは、典型的には、視認者の周囲の実際の世界の可視化の拡張として、デジタルまたは仮想画像情報の提示を伴う。
【０００４】
これらのディスプレイ技術において成された進歩にもかかわらず、当技術分野において、拡張現実システム、特に、ディスプレイシステムに関連する改良された方法およびシステムの必要がある。
【発明の概要】
【課題を解決するための手段】
【０００５】
本発明は、概して、成形光ファイバケーブルの製作のための方法およびシステムに関する。より具体的には、本発明の実施形態は、テーパ状および他の所定のプロファイルを伴うファイバを製作する方法およびシステムを提供する。本発明は、コンピュータビジョンおよび画像ディスプレイシステムにおける種々の用途に適用可能である。
【０００６】
本発明のある実施形態によると、ファイバ走査システムの光ファイバ要素が、提供される。光ファイバ走査システムは、複数の光ファイバ要素を含むことができる。光ファイバ要素は、縦方向側部材と、縦方向側部材間に配置された内部オリフィスと、運動アクチュエータの一端に配置される支持領域と、支持領域に対向する投影領域とを有する運動アクチュエータ（例えば、圧電アクチュエータ）を含む。縦方向側部材は、収縮／拡張するように動作可能である第１の圧電要素と、第１の圧電要素と反対に拡張／収縮するように動作可能である第２の圧電要素とを含むことができる。内部オリフィスは、いくつかの実施形態では、内径によって画定された円筒形プロファイルによって特徴付けられる。本実施形態では、結合領域は、実質的に円筒形であり、内径と実質的に等しい外径によって画定されることができる。
【０００７】
光ファイバ要素は、内部オリフィスを通過する光ファイバケーブルも含む。光ファイバケーブルは、縦方向側部材間に配置され、投影領域と機械的に接触する結合領域と、運動アクチュエータの投影領域から離れるように延びている光送達領域と、光放射先端とを有する。光ファイバ要素は、結合領域と投影領域との間に配置される界面層（例えば、ガラスフリットまたはエポキシ）も含むことができる。光送達領域は、第１の直径によって特徴付けられ、光放射先端は、第１の直径より小さい第２の直径によって特徴付けられる。ある実施形態では、光送達領域は、運動アクチュエータの投影領域間に延びている凹角プロファイルによって特徴付けられる。例として、光ファイバケーブルは、光送達領域から光放射先端に次第に細くされることができる。ファイバ走査システムは、ファイバ走査投影ディスプレイの要素であることができる要素。
【０００８】
ある実施形態では、結合領域は、縦方向側部材と機械的に接触する支持部分と、支持領域と投影領域との間に配置されたたわみ領域とを含むことができる。たわみ領域は、たわみ距離によって縦方向側部材から分離される。本実施形態では、結合領域は、縦方向側部材と機械的に接触する第２の支持部分をさらに含む。第２の支持部分は、支持領域内に配置されることができる。
【０００９】
本発明の別の実施形態によると、ファイバ走査システムの光ファイバ要素が、提供される。光ファイバ要素は、運動アクチュエータを含み、運動アクチュエータは、縦方向側部材と、縦方向側部材間に配置された内部オリフィスと、運動アクチュエータの一端に配置された第１の支持領域と、中心領域と、運動アクチュエータの対向する端に配置された第２の支持領域とを有する。第１の光ファイバケーブルが、内部オリフィスを通過する。第１の光ファイバケーブルは、縦方向側部材間に配置された第１の結合領域と、中心領域内に配置された第１のファイバジョイントとを有する。第２の光ファイバケーブルが、内部オリフィスを通過する。第２の光ファイバケーブルは、中心領域内に配置され、第１のファイバジョイントに継ぎ合わせられる第２のファイバジョイントと、縦方向側部材間に配置され、第２の支持領域と機械的に接触している第２の結合領域とを有する。光ファイバ要素は、運動アクチュエータの第２の支持領域から離れるように延びている光送達領域と、光放射先端とも含む。光送達領域は、第１の直径によって特徴付けられ、光放射先端は、第１の直径より小さい第２の直径によって特徴付けられる。
【００１０】
本発明の具体的実施形態によると、ファイバ走査システムの光ファイバ要素が、提供される。光ファイバ要素は、運動アクチュエータを含み、運動アクチュエータは、縦方向側部材と、縦方向側部材間に配置された内部オリフィスと、運動アクチュエータの一端に配置された第１の支持領域と、中心領域と、運動アクチュエータの対向する端に配置された第２の支持領域とを有する。光ファイバ要素は、第１の支持領域内に配置された保持要素と、保持要素および内部オリフィスを通過する第１の光学導波管とも含む。第１の光学導波管は、保持要素内に配置された第１の篏合ジョイントを有する。光ファイバ要素は、内部オリフィスを通過する第２の光学導波管をさらに含む。第２の光学導波管は、保持要素内に配置され、第１の篏合ジョイントと、縦方向側部材間に配置され、第２の支持領域と機械的に接触している第２の結合領域とに接合される第２の篏合ジョイントとを有する。光ファイバ要素は、加えて、運動アクチュエータの第２の支持領域から離れるように延びている光送達領域と、光放射先端とを含む。光送達領域は、第１の直径によって特徴付けられ、光放射先端は、第１の直径より小さい第２の直径によって特徴付けられる。
【００１１】
本発明の別の具体的実施形態によると、成形ファイバを製作する方法が、提供される。方法は、光ファイバケーブルを提供することと、光ファイバケーブルの一部をエッチングジャケットで被覆し、光ファイバケーブルの露出領域および光ファイバケーブルの被覆領域を画定することと、光ファイバケーブルの露出領域およびエッチングジャケットをエッチング溶液にさらすこととを含む。方法は、エッチング溶液にさらすことに応答して、光ファイバケーブルの露出領域の少なくとも一部を除去することと、エッチングジャケット下にエッチング溶液を吸い上げ、光ファイバケーブルの被覆領域の少なくとも一部を除去することとも含む。エッチングジャケットの下にエッチング溶液を吸い上げることは、エッチング溶液の毛細管作用流動を含むことができる。
【００１２】
本発明の特定の実施形態によると、ファイバアクチュエータ機構が、提供される。ファイバアクチュエータは、運動アクチュエータを含み、運動アクチュエータは、縦方向側部材と、縦方向側部材間に配置された内部オリフィスと、運動アクチュエータの一端に配置される支持領域と、支持領域に対向し、投影面を有する投影領域とを有する。ファイバアクチュエータは、内部オリフィスを通過する光ファイバケーブルも含む。光ファイバケーブルは、縦方向側部材間に配置され、投影領域と機械的に接触している、結合領域と、運動アクチュエータの投影領域から離れるように延びている光送達領域とを有する。光送達領域は、投影領域の投影面に沿って延びているフランジを含む。光ファイバケーブルは、光放射先端をさらに含む。光送達領域は、投影領域の投影面から離れるように縦方向に延びているテーパ状領域をさらに含むことができる。例として、テーパ状領域に関連付けられた傾きは、フランジからの距離に伴って減少する。
【００１３】
本発明のある実施形態によると、ファイバアクチュエータ機構が、提供される。ファイバアクチュエータ機構は、運動アクチュエータを含み、運動アクチュエータは、縦方向側部材と、縦方向側部材間に配置された内部オリフィスと、運動アクチュエータの一端に配置される支持領域と、支持領域に対向し、投影面を有する投影領域と、投影外部表面とを有する。ファイバアクチュエータ機構は、内部オリフィスを通過する光ファイバケーブルも含む。光ファイバケーブルは、縦方向側部材間に配置され、投影領域と機械的に接触する結合領域と、運動アクチュエータの投影領域を包囲し、そこから離れるように延びている光送達領域とを有する。光送達領域は、投影面と平行な第１の領域と、投影外部表面と平行な第２の領域とを含む。ファイバアクチュエータ機構は、光放射先端をさらに含む。第１の領域は、投影面と機械的に接触することができる。ある実施形態では、第２の領域は、投影外部表面と機械的に接触する。さらに、光送達領域はさらに、投影領域を包囲する第３の領域を含むことができる。
【００１４】
本発明の別の実施形態によると、成形ファイバを製作する方法が、提供される。方法は、支持領域および放射領域を有する光ファイバケーブルを提供することと、エッチング溶液（例えば、フッ化水素酸を含む）を提供することと、放射領域の少なくとも一部をエッチング耐性マスクでコーティングすることとを含む。方法は、支持領域をエッチング溶液の中に挿入することと、支持領域の中心部分をエッチングすることと、放射領域上のコーティングを除去することとをさらに含む。支持領域の中心部分をエッチングすることは、たわみ領域の形成をもたらし得る。方法は、放射領域をエッチング溶液の中に挿入することと、放射領域をエッチングすることとも含む。放射領域をエッチングすることは、時間の関数として減少する率（例えば、非線形率）で放射領域をエッチング溶液から引き出すことを含むことができる。エッチングシステムは、例えば、エッチング溶液上に浮遊するエッチング溶液に隣接する不活性溶液（例えば、イソオクタン）も含むことができる。方法は、放射領域をエッチングする前、エッチングされた中心部分をコーティングすることも含むことができる。
【００１５】
本発明の具体的実施形態によると、エッチングされたファイバ導波管を製作する方法が、提供される。方法は、エッチング溶液（例えば、ＨＦを含む）を含むエッチングシステムを提供することと、光ファイバケーブルの第１の端部をエッチング溶液の中に挿入することと、光ファイバケーブルの第１の端部を第１の率で引き出すこととを含む。第１の率は、線形または非線形様式において、時間の関数として変動し得る（例えば、減少する）。方法は、第１の端部に対向する光ファイバケーブルの第２の端部をエッチング溶液の中に挿入することと、光ファイバケーブルの第２の端部を第２の率で引き出すこととも含む。第２の率は、線形または非線形様式において、時間の関数として変動し得る（例えば、減少する）。エッチングシステムは、例えば、エッチング溶液上に浮遊するエッチング溶液に隣接する不活性溶液（例えば、イソオクタン）も含むことができる。いくつかの実施形態では、第１の端部と第２の端部との間に配置された光ファイバケーブルの中心部分は、エッチングされない。
【００１６】
本発明の別の具体的実施形態によると、成形ファイバを製作する方法が、提供される。方法は、支持領域および放射領域を有する光ファイバケーブルを提供することと、第１の不活性層、第１の不活性層に隣接するエッチング層、およびエッチング層に隣接する第２の不活性層を含むエッチング溶液を提供することとを含む。方法は、放射領域の少なくとも一部をエッチング耐性マスクでコーティングことと、支持領域をエッチング層の中に挿入することと、支持領域の中心部分をエッチングし、支持領域の区分間に配置され、支持領域の区分より細い直径によって特徴付けられるたわみ領域を形成することとも含む。方法は、放射領域の少なくとも一部上のコーティングを除去することと、放射領域をエッチング層の中に挿入することと、放射領域をエッチングし、テーパ状プロファイルを形成することとをさらに含む。第１の不活性層は、イソオクタンを含むことができ、エッチング層は、ＨＦ酸を含むことができる。第２の不活性層は、エッチング層のエッチングの密度より高い密度を伴う油を含むことができる。
【００１７】
本発明の特定の実施形態によると、テーパ状ファイバ放射先端を製作する方法が、提供される。方法は、放射領域を有する光ファイバケーブルを提供することと、不活性層およびエッチング層を含むエッチング溶液を提供することと、放射領域を不活性層を通してエッチング層の中に挿入することとを含む。方法は、放射領域の一部をエッチングすることと、撹拌を放射領域とエッチング溶液との間に導入することと、放射領域をエッチング層から引き出すこととも含む。いくつかの実施形態では、撹拌を導入することは、エッチング溶液の撹拌および光ファイバケーブルの撹拌の両方を含む。放射領域をエッチング層から引き出すことは、時間の関数としての増加率によって特徴付けられることができる。
【００１８】
本発明の別の特定の実施形態によると、テーパ状ファイバ放射先端を製作する方法が、提供される。方法は、放射領域を有する光ファイバケーブルを提供することと、不活性層およびエッチング層を含むエッチング溶液を提供することと、放射領域を不活性層を通してエッチング層内の第１の深度まで挿入することとを含む。方法は、放射領域の一部をエッチングすることと、少なくとも部分的に、放射領域をエッチング層から引き出すことと、放射領域を不活性層を通して第１の深度未満のエッチング層内の後続深度まで再挿入することとも含む。方法は、少なくとも部分的に、放射領域を引き出すことと、放射領域を再挿入することとを繰り返すことと、放射領域をエッチング層から完全に引き出すこととをさらに含む。後続深度は、プロセスを繰り返す間、徐々に減少させられることができる。
【００１９】
本発明のある実施形態によると、テーパ状ファイバ放射先端を製作する方法が、提供される。方法は、放射領域および放射面を有する光ファイバケーブルを提供することと、放射領域をエッチング耐性マスクでコーティングすることと、放射面に隣接する放射領域の一部を露出し、側壁マスクおよび放射面マスクを形成することとを含む。方法は、エッチング溶液を提供することと、放射領域をエッチング溶液の中に挿入することと、放射領域の一部をエッチングし、連続的により深いエッチングプロファイルを形成することとも含む。方法は、エッチング終点を決定することと、放射領域をエッチング溶液から除去することとをさらに含む。エッチング終点を決定することは、放射面と放射面マスクとの間の分離を検出することを含むことができる。
【００２０】
本発明の特定の実施形態によると、レンズを光ファイバ先端上に製作する方法が、提供される。方法は、放射領域および放射面を有する光ファイバケーブルを提供することと、表面を有するエッチング溶液を提供することと、放射面をエッチング溶液の表面と接触させるように位置付けることとを含む。方法は、放射領域を包囲するエッチング溶液のメニスカスを形成することも含む。メニスカスは、放射面に隣接するより大きい幅と、初期高さとによって特徴付けられる。方法は、放射領域をエッチングし、初期エッチングプロファイルを形成することと、メニスカスの高さを減少させることと、放射領域をエッチングし、後続エッチングプロファイルを形成することとをさらに含む。放射領域をエッチングし、後続エッチングプロファイルを形成することは、自己限定プロセスであることができる。
【００２１】
本発明の具体的実施形態によると、導波管製作システムが、提供される。導波管製作システムは、ロボットと、ロボットに結合されるエッチングシステムと、ロボットに結合される清掃システムとを含む。導波管製作システムは、ロボットに結合されるマスク形成システムと、ロボットに結合されるマスク除去システムと、ロボットに結合されるコンピュータとも含む。導波管製作システムは、ロボットに結合される入力／出力スタックをさらに含むことができる。
【００２２】
従来の技法に優る多数の利点が、本発明の方法によって達成される。例えば、本発明の実施形態は、ファイバ走査ディスプレイシステムの中に統合され得るファイバを製作するために使用され得る方法およびシステムを提供する。本発明のこれらおよび他の実施形態は、その利点および特徴の多くとともに、下記のテキストおよび添付の図と併せてより詳細に説明される。
【図面の簡単な説明】
【００２３】
【図１Ａ】図１Ａは、本発明のある実施形態による、ファイバ走査システムの成形ファイバを図示する簡略化された側面図である。
【００２４】
【図１Ｂ】図１Ｂは、本発明のある実施形態による、たわみ領域を含む成形ファイバを図示する簡略化された側面図である。
【００２５】
【図１Ｃ】図１Ｃは、本発明のある実施形態による、支持領域を含む成形ファイバを図示する簡略化された側面図である。
【００２６】
【図１Ｄ】図１Ｄは、本発明のある実施形態による、多要素成形ファイバを図示する簡略化された側面図である。
【００２７】
【図１Ｅ】図１Ｅは、本発明の別の実施形態による、多要素成形ファイバを図示する簡略化された側面図である。
【００２８】
【図１Ｆ】図１Ｆは、本発明のある実施形態による、圧電運動アクチュエータの簡略化された斜視図である。
【００２９】
【図１Ｇ】図１Ｇは、本発明のある実施形態による、多要素運動アクチュエータを図示する簡略化された端面図である。
【００３０】
【図２Ａ】図２Ａは、本発明のある実施形態による、凹角プロファイルを含む成形ファイバを図示する簡略化された側面図である。
【００３１】
【図２Ｂ】図２Ｂは、本発明のある実施形態による、光学要素をファイバの先端に含む成形ファイバを図示する簡略化された側面図である。
【００３２】
【図３Ａ】図３Ａは、本発明のある実施形態による、光学導波管およびエッチング耐性ジャケットの一部を図示する簡略化された側面図である。
【００３３】
【図３Ｂ】図３Ｂは、本発明のある実施形態による、図３Ａに図示されるエッチング耐性ジャケット下におけるエッチング液の吸い上げを図示する簡略化された側面図である。
【００３４】
【図３Ｃ】図３Ｃは、エッチング耐性ジャケット下におけるエッチング液のさらなる吸い上げを図示する簡略化された側面図である。
【００３５】
【図３Ｄ】図３Ｄは、本発明のある実施形態による、光学導波管のテーパ形成を図示する簡略化された側面図である。
【００３６】
【図３Ｅ】図３Ｅは、本発明のある実施形態による、成形ファイバを製作する方法を図示する簡略化されたフローチャートである。
【００３７】
【図４】図４は、本発明のある実施形態による、支持フランジを含む成形ファイバを図示する簡略化された側面図である。
【００３８】
【図５Ａ】図５Ａは、本発明のある実施形態による、運動アクチュエータ結合領域を含む成形ファイバを図示する簡略化された側面図である。
【００３９】
【図５Ｂ】図５Ｂは、本発明の別の実施形態による、運動アクチュエータ結合領域を含む成形ファイバを図示する簡略化された側面図である。
【００４０】
【図５Ｃ】図５Ｃは、本発明のさらに別の実施形態による、運動アクチュエータ結合領域を含む成形ファイバを図示する簡略化された側面図である。
【００４１】
【図６Ａ】図６Ａは、本発明のある実施形態による、成形ファイバを製作する方法を図示する簡略化されたフローチャートである。
【００４２】
【図６Ｂ】図６Ｂは、本発明のある実施形態による、エッチングシステムを図示する。
【００４３】
【図６Ｃ】図６Ｃは、本発明の代替実施形態による、エッチングシステムを図示する。
【００４４】
【図６Ｄ】図６Ｄは、本発明のある実施形態による、エッチングされたファイバ導波管を製作する方法を図示する簡略化されたフローチャートである。
【００４５】
【図６Ｅ】図６Ｅは、本発明の特定の実施形態による、エッチングシステムを図示する。
【００４６】
【図７】図７は、本発明のある実施形態による、テーパ状ファイバ放射先端を製作する方法を図示する簡略化されたフローチャートである。
【００４７】
【図８】図８は、本発明の別の実施形態による、テーパ状ファイバ放射先端を製作する方法を図示する簡略化されたフローチャートである。
【００４８】
【図９】図９は、本発明のある実施形態による、エッチングプロセスを使用して、成形ファイバを製作する方法を図示する簡略化されたフローチャートである。
【００４９】
【図１０−１】図１０Ａ−１０Ｄは、図９に関連して提供される方法による、ファイバの処理を図示する簡略化された側面図である。
【００５０】
【図１０−２】図１０Ｅは、本発明のある実施形態による、保護カバーを伴うファイバを図示する簡略化された斜視図である。
【００５１】
【図１１】図１１Ａ−１１Ｃは、本発明のある実施形態による、成形ファイバ先端を製作する方法を図示する簡略化された側面図である。
【００５２】
【図１２】図１２は、本発明のある実施形態による、導波管製作システムを図示する簡略化された概略図である。
【発明を実施するための形態】
【００５３】
本発明の実施形態は、ファイバ走査ディスプレイシステムのための要素を製作する方法およびシステムに関する。いくつかのファイバスキャナシステムでは、光ファイバケーブルの直径は、ファイバを保持する圧電アクチュエータの内径より著しく狭い。これらのシステムでは、結合材料が、結果として生じる間隙を充填するために利用される。例として、エポキシが、ファイバを圧電アクチュエータに接合するために使用されることができる。エポキシの剛性は、温度に伴って変動し得るので、エポキシジョイントは、ファイバ性能に影響を及ぼし得る。さらに、接着問題は、ファイバ性能を低下させ得る。
【００５４】
図１Ａは、本発明のある実施形態による、ファイバ走査システムの成形ファイバを図示する簡略化された側面図である。図１Ａを参照すると、運動アクチュエータは、圧電構造またはアクチュエータを利用し、圧電構造の作動は、矢印１１２によって図示されるように、第１の縦方向側部材１１０が拡張または膨張する一方、第１の縦方向側部材１１０に対向する第２の縦方向側部材１２０が、矢印１２２によって図示されるように、収縮することによって図示される。一連の対抗する拡張および縮小運動は、テーパ状ファイバ１３０を図の平面内で振動させるであろう。テーパ状ファイバは、運動アクチュエータの右端部における幅約２００〜２５０μｍから、光放射先端とも称されるファイバ先端１３２における幅約２０μｍ〜４０μｍまで次第に細くなる。
【００５５】
図１Ａに図示される光ファイバ要素は、ファイバ走査投影ディスプレイシステムの一部であることができる。光ファイバ要素は、対向する縦方向側部材１１２および１２２を含む運動アクチュエータを含む。対向する縦方向側部材が、収縮／拡張するにつれて、縦方向側部材間を通過する光ファイバケーブルは、図の平面内で振動する。単一ファイバが、図１Ａおよび本明細書の他の図に図示されるが、本発明の範囲は、複数のファイバコアが走査ディスプレイシステム内で利用されるマルチコアファイバシステムを含む。当業者は、多くの変形例、修正、および代替を認識するであろう。
【００５６】
図１Ａに図示される実施形態では、運動アクチュエータ１０５は、縦方向側部材１１２と１２２との間に配置された内部オリフィス１０７を含む。運動アクチュエータは、支持領域１０８が運動アクチュエータの一端（例えば、左端部）に配置され、投影領域１０９が支持領域と反対の運動アクチュエータの対向する端（例えば、右端部）に配置されるように画定されることができる。
【００５７】
光ファイバケーブル１３０が、内部オリフィス１０７を通過する。光ファイバケーブル１３０は、縦方向側部材間に配置され、投影領域１０９と機械的に接触する結合領域１３１を有する。図１Ａに図示される実施形態では、運動アクチュエータの内部オリフィスは、内径によって画定された円筒形プロファイルによって特徴付けられ、光ファイバケーブル１３０は、実質的に円筒形であり、運動アクチュエータの内径と実質的に等しい外径によって画定される結合領域１３１を有する。光ファイバケーブルは、その結果、運動アクチュエータバレルを完全に充填し、頑丈な機械的接続を提供し、いくつかの実施形態では、締まり嵌め部材であることができる。図１Ａに図示される実施形態では、運動アクチュエータの材料、すなわち、圧電材料と、光ファイバケーブル、例えば、ガラスとは、実質的に合致したサイズにより、直接機械的に接触する。
【００５８】
図１Ｆは、本発明のある実施形態による、圧電運動アクチュエータの簡略化された斜視図である。図１Ｆに図示される圧電運動アクチュエータは、円筒形ケーシング内に配置される４つの作動入力（＋Ｘ、−Ｘ、＋Ｙ、および−Ｙ）を含む。光ファイバケーブルが、オリフィス１０７を通過し、４つの作動入力の作動によって、光ファイバケーブルは、２次元で走査されることができる。図１Ｆでは、＋Ｘ作動入力の縮小および−Ｘ作動入力の拡張は、圧電運動アクチュエータに＋Ｘ軸に向かって傾斜させる。図１Ｆに図示される運動は、２次元（すなわち、ｘ−軸およびｙ−軸によって画定された平面に沿って）であるが、実施形態は、ｚ−軸に沿った収縮／拡張と連動して、全４つの作動入力を拡張または収縮させることもできる。したがって、本発明の実施形態は、ｘ−方向およびｙ−方向の両運動と、ｚ−方向に圧縮／拡張する円筒形アクチュエータの使用とを提供する。
【００５９】
図１Ａに図示される円筒形運動アクチュエータに加え、本発明の範囲は、他の幾何学形状が運動アクチュエータのために利用される実装を含む。例として、ある実施形態では、運動アクチュエータは、多要素運動アクチュエータとして互いに連動する複数の対向する運動作動要素（例えば、圧電要素）を含む。図１Ｇは、本発明のある実施形態による、多要素運動アクチュエータを図示する簡略化された端面図である。図１Ｇに図示される図は、縦軸と整列させられている。図１Ｇに図示されるように、光ファイバケーブル１９３の片側上に位置付けられる第１の運動作動要素１９２および光ファイバケーブルの反対側上に位置付けられる第２の運動作動要素１９４は、連動して収縮／拡張し、光ファイバケーブルに水平平面内で移動させることができる。光ファイバケーブル１９３の第３の側上に位置付けられる第３の運動作動要素１９６および光ファイバケーブルの反対側上に位置付けられる第４の運動作動要素１９８は、連動して収縮／拡張し、光ファイバケーブルに垂直平面内で移動させることができる。全４つの運動作動要素の作動によって、ファイバは、投影ディスプレイにおいて使用するための必要に応じて、２次元で走査されることができる。図１Ｇに図示される実施形態は、圧電質量を低減させることによって、より軽量のシステムを提供することができる。図１Ｇに図示される長方形幾何学形状に加え、六角形、三角形等を含む他の幾何学形状も、本発明の範囲内に含まれる。
【００６０】
いくつかの実施形態では、運動アクチュエータの材料、例えば圧電材料と、光ファイバケーブル、例えばガラスとは、直接機械的に接触する。他の実施形態では、実質的な機械的接触は、運動アクチュエータと光ファイバケーブルとの間の界面層の挿入によって提供される。これらの実施形態では、光ファイバケーブルは、運動アクチュエータバレルより直径が若干小さく、光ファイバケーブルを運動アクチュエータに接合するために、薄い接着剤層が利用されることを可能にする。これらの実施形態では、実質的な機械的接触は、運動アクチュエータと光ファイバケーブルとの間の界面層の挿入によって提供される。界面層は、結合領域１３１と投影領域１０９との間、および運動アクチュエータの他の部分に配置されることができる。例として、界面層は、フリットガラス、エポキシ等のうちの少なくとも１つを含むことができる。一実施形態では、例えば、プリフォームの形態における、フリットガラスが、運動アクチュエータとファイバとの間の界面に設置され、例えば、運動アクチュエータの端部の右に設置される。そして、プリフォームを構成する異なる層を有し得るフリットガラスは、結合領域と投影領域との間の界面の中に再流動させられることができる。再流動後、フリットガラスは、その界面、および運動アクチュエータの外側の両方に存在し、シールを運動アクチュエータから退出するファイバの周囲に形成し得る。例として、材料のリングが、運動アクチュエータの右側において、ファイバの周囲に設置され得る。加熱すると、材料は、界面領域の中に流動し、応力緩和要素をファイバを包囲して形成し得る。界面材料として使用されるとき、エポキシは、減衰材料であり、それは、いくつかの実装において利点を提供することができる。
【００６１】
光ファイバケーブルは、運動アクチュエータ１０５の投影領域１０９から離れるように延びている光送達領域１３６と、光放射領域１３８とを含む。
【００６２】
光ファイバケーブルは、光放射先端１３４も含む。ファイバは、いくつかの実施形態では、光送達領域１３６が、第１の直径によって特徴付けられ、光放射先端１３４が、ファイバが先端に向かって次第に細くなるにつれて第１の直径未満となる第２の直径によって特徴付けられるように、テーパ状である。テーパ形成は、いくつかの実施形態では、連続的であることができる（すなわち、位置の関数として一定に減少する直径）。
【００６３】
光送達領域１３６におけるテーパ形成は、急激であることができ、テーパ形成は、先端に接近するにつれて、率において減少する。したがって、テーパの傾きは、光送達領域では大きく、光放射領域では小さくあり得る。例として、ファイバの開始直径は、２００μｍ〜２５０μｍの範囲内であることができ、急激なテーパ形成は、約５０μｍ〜１００μｍ、例えば、８５μｍのファイバ長さ内で１００μｍ〜１２５μｍの範囲内の値に直径を低減させることができ、そして、テーパ形成プロファイルは、実質的に線形なテーパまで、光放射先端１３４における直径２０μｍ〜４０μｍ（例えば、３０μｍ、３５μｍ等）まで低減させられることができる。光送達領域内の急激なテーパ形成は、歪みおよび／または応力緩和を提供することができ、その結果、この領域におけるテーパ形成プロファイルは、作動中のファイバ上の歪みを低減させ、または最小化し、応力局所化を低減させるように選択されることができる。楕円形プロファイル、有限要素分析を使用して決定された非線形プロファイルを含む他の弧等が、テーパ形成プロファイルのために利用されることができる。
【００６４】
図１Ｂは、本発明のある実施形態による、たわみ領域を含む成形ファイバを図示する簡略化された側面図である。図１Ｂを参照すると、ケーブルが運動アクチュエータの作動に応答して振動するときの縦方向側部材と光ファイバケーブルとの間の潜在的結合を低減させるために、たわみ領域が、支持領域と投影領域との間に提供される。光ファイバケーブルと縦方向側部材との間の空間分離は、光ファイバケーブルが、側方方向に移動し、縦方向側部材が拡張および収縮するときの結合を低減させ、または排除することを可能にする。側方方向は、縦方向に直交する平面における全ての運動に及ぶ。例として、縦方向が、ｚ−軸と整列させられる場合、側方運動は、ｘ−ｙ平面における運動を含むであろう。したがって、側方運動は、ファイバの中心がｘ−ｙ平面内での螺旋パターンをなぞるように光ファイバケーブルがｘ−ｙ平面内で移動する場合の螺旋運動を含む。
【００６５】
図１Ｂを参照すると、運動アクチュエータの剛性を低減させ、柔軟性を改良するために、光ファイバケーブルの結合領域は、縦方向側部材と機械的に接触する支持部分１４０と、支持領域と投影領域との間に配置されたたわみ領域１４２とを含み、たわみ領域は、たわみ距離ｄによって縦方向側部材から分離される。ファイバ直径を縮小させることによって形成されるたわみ領域は、光ファイバケーブルと縦方向支持部材の内部表面との間の機械的接触を増加させる設計と比較して、追加の柔軟性を可能にする。
【００６６】
図１Ｃは、本発明のある実施形態による、支持領域を含む成形ファイバを図示する簡略化された側面図である。図１Ｃでは、光ファイバケーブルは、運動アクチュエータの投影領域においてのみならず、運動アクチュエータの支持領域においても、結合領域１５０をさらに含む。本実施形態では、光ファイバケーブルの側方寸法は、たわみ領域１４２において減少させられ、結合を低減させるが、支持領域および投影領域に隣接して増加させられ運動アクチュエータと光ファイバケーブルとの間の所望の機械的接触を提供する。結合領域１５０は、縦方向側部材と機械的に接触する第２の支持部分と称され得る。ある実施形態では、ファイバ直径は、運動アクチュエータの縦方向側部材の内径に合致する元の直径に戻るように増加させられることができる。
【００６７】
図１Ｄは、本発明のある実施形態による、多要素成形ファイバを図示する簡略化された側面図である。図１Ｄを参照すると、いくつかの実施形態では、複数のタイプの光学導波管が、利用され、ファイバ走査システムを組み立てる。図１Ｅに関連して下で議論されるように、図１Ｄに図示される第２の光ファイバケーブル１６２は、延伸ファイバプロセス以外の機構によって製作される光学導波管要素と置換されることができる。
【００６８】
明確性の目的のために、図１Ｄに関連する議論は、第２の光学導波管としての光ファイバケーブルの使用について議論するであろうが、本発明の実施形態は、この実装に限定されない。加えて、本発明の実施形態は、光ファイバケーブルの使用に関連して本明細書で議論されるが、他の光学導波管構造も、光ファイバケーブルの代わりに利用されることができる。光学導波管構造に加え、統合された光学要素等が、本明細書に説明される技法を使用して、光ファイバケーブルまたは他の光学構造および運動アクチュエータに継ぎ合わせられることができる。当業者は、多くの変形例、修正、および代替を認識するであろう。
【００６９】
図１Ｄに図示されるように、第１の光ファイバケーブル１６１は、入力ファイバ１６１として利用されることができ、第２の光ファイバケーブル１６２は、運動アクチュエータに機械的に結合され、テーパ状光送達領域を含む送達ファイバとして利用されることができる。入力ファイバは、送達ファイバより小さい直径ファイバであることができる。２つの光ファイバケーブルは、継ぎ合わせジョイント１６０において継ぎ合わせられる。図示される実施形態では、継ぎ合わせジョイント１６０は、側方分離（例えば、たわみ距離）が継ぎ合わせジョイントと縦方向側部材との間に提供されるように、たわみ領域内に位置付けられる。
【００７０】
図１Ｄを参照すると、ファイバ走査システムの一部であり得る光ファイバ要素は、運動アクチュエータと、第１の光ファイバケーブルと、第２の光ファイバケーブルとを含む。運動アクチュエータは、縦方向側部材と、縦方向側部材間に配置された内部オリフィスと、運動アクチュエータの一端に配置された第１の支持領域と、中心領域と、運動アクチュエータの対向する端に配置された第２の支持領域とを含む。
【００７１】
第１の光ファイバケーブル１６１は、運動アクチュエータの内部オリフィスを通過し、縦方向側部材間に配置された第１の結合領域１４０と、中心領域内に配置された第１のファイバジョイント（継ぎ合わせジョイント１６０の左側）とを有する。第２の光ファイバケーブルは、内部オリフィスを通過し、中心領域内に配置され、第１のファイバジョイントに継ぎ合わせられる第２のファイバジョイント（継ぎ合わせジョイント１６０の右側）を有する。いくつかの実施形態では、第２の光ファイバケーブルは、縦方向側部材間に配置され、第２の支持領域と機械的に接触している第２の結合領域も有する。
【００７２】
図１Ｄに図示される実施形態を参照すると、第２の光ファイバケーブル１６２は、運動アクチュエータの第２の支持領域から離れるように延びている光送達領域と、光放射先端とを含むことができる。光送達領域は、光放射先端に向かって次第に細くされることができる。いくつかの実施形態では、第１の結合領域１４０における第２の光ファイバケーブルの直径は、運動アクチュエータの内部オリフィスの内径と実質的に等しい。他の実施形態では、機械的固定具が、第１の光ファイバケーブルの第１の結合領域を第１の支持領域に対して保持するために使用されることができる。例として、Ｏリングが、細いファイバを縦方向側部材間に支持するために使用されることができる。
【００７３】
図１Ｄに図示されないが、第１の光ファイバケーブルの第１の結合領域は、図１Ｃにおける結合領域１５０によって図示されるように、運動アクチュエータの第１の支持領域と機械的に接触することができる。したがって、本明細書に提供される種々の図に図示される要素の組み合わせは、特定の用途に対する必要に応じて、組み合わせられることができる。当業者は、多くの変形例、修正、および代替を認識するであろう。
【００７４】
第２の光ファイバケーブルを製作する方法は、マスキングおよびエッチングプロセスを含むことができる。例として、光ファイバケーブルは、ファイバの先端となるであろう部分上をエッチング耐性マスクでマスクされ得る。先端がマスクされた後、中心領域は、エッチング溶液、例えば、図６Ｃに図示される３層エッチングシステム中に浸漬されることができる。ファイバの先端が、浸漬プロセス中、エッチング液を通過するとき、マスクは、先端がエッチングされることを防ぐであろう。中心領域が、エッチングされ、縮径たわみ領域を形成し、ファイバが、エッチングシステムから除去された後、先端上のエッチング耐性マスクは、除去されることができ、第２のエッチングプロセスが、ファイバの先端のための所望の形状（例えば、テーパ状形状）を形成するために使用されることができる。加えて、この第２のエッチングプロセス中、エッチング耐性マスクが、中心領域に適用され、第１のエッチングプロセス後に形成された形状を保存することができる。
【００７５】
いくつかの実施形態では、順序は、修正され、例えば、逆転され、最初に、先端を次いで、中心領域をたわみ領域として形成することができる。これらのプロセスでは、ファイバがエッチング液に挿入され、および／または、それから引き出される率は、ファイバの形状を制御するために利用されることができる。当業者は、多くの変形例、修正、および代替を認識するであろう。
【００７６】
図１Ｅは、本発明の別の実施形態による、多要素成形ファイバを図示する簡略化された側面図である。この実装では、運動アクチュエータは、取り付けカラーとも称され得る支持部１７０を使用して、機械的搭載部に取り付けられる。運動アクチュエータは、支持部１７０が取り付けられる基部（図示せず）に対して振動する。この代替実施形態では、２つの光ファイバケーブルを接合する継ぎ合わせジョイント１６０が、運動アクチュエータが結合される支持部１７０間に位置付けられる。
【００７７】
図１Ｅに示されるように、保持要素１７２が、第１の支持領域１０８内に配置される。第１の光ファイバケーブルが、保持要素１７２と運動アクチュエータの内部オリフィスとの間を通過する。第１の光ファイバケーブルは、継ぎ合わせジョイント１６０によって、第２の光ファイバケーブルに接合され、継ぎ合わせジョイント１６０は、第１の光ファイバケーブルの第１のファイバジョイント（継ぎ合わせジョイントの左に対して）と、第２の光ファイバケーブルの第２のファイバジョイント（継ぎ合わせジョイントの右に対して）とによって画定される。継ぎ合わせジョイントは、それが保持要素内に配置されるように、縦方向に位置付けられる。保持要素内および支持部１７０間の継ぎ合わせジョイントの位置は、運動アクチュエータが支持部に対して移動するので、低減した柔軟性のエリアである継ぎ合わせジョイントにおける機械的応力を低減させる。
【００７８】
いくつかの実施形態では、保持要素１７２は、可撓な接着剤、例えば、シリコーンボールを第１の光ファイバと第２の光ファイバとの間の継ぎ合わせジョイント上に堆積させ、接着剤が支持部間に位置付けられ、接着剤がこの位置で硬化することを可能にするように、スライスされたファイバを堆積された可撓な接着剤とともに移動させることによって形成される。シリコーンが、例として使用されるが、本発明は、この実装に限定されず、好適な機械的堅さおよび所望の寿命時間を提供する他の保持要素も、利用されることができる。
【００７９】
さらに、継ぎ合わせジョイントが、図１Ｅでは、支持部間に図示されるが、それは、本発明によって要求されず、継ぎ合わせジョイントは、同様に低柔軟性領域として特徴付けられ得る支持部の左の他の位置に移動させられることができる。したがって、継ぎ合わせジョイントが設置される精度は、いくつかの実施形態では、緩和され、製造可能性を改良することができる。
【００８０】
再び図１Ｅを参照すると、ファイバ走査システムの光ファイバ要素が、提供される。光ファイバ要素は、運動アクチュエータと、第１の光学導波管と、第２の光学導波管とを含む。第１の光学導波管は、第１の光ファイバケーブルであることができ、第２の光学導波管は、第２の光ファイバケーブルであることができる。運動アクチュエータは、縦方向側部材と、縦方向側部材間に配置された内部オリフィスとを有する。運動アクチュエータは、運動アクチュエータの一端に配置された第１の支持領域１０８と、運動アクチュエータの対向する端に配置された第２の支持領域１０９とを有し、それによって、中心領域１８０を画定する。
【００８１】
運動アクチュエータは、圧電アクチュエータを含むことができ、それは、第１の支持領域１０８、第１の篏合表面継ぎ合わせ部と、第２の篏合表面とを含む平面内に位置付けられていることができる。他の実施形態では、縦方向側部材は、上で議論されるように、収縮および拡張する圧電要素を含む。これらの実施形態では、継ぎ合わせジョイント１６０の平面内に位置付けられる圧電アクチュエータが、支持運動アクチュエータを支持する機械的支持部と置換されることができる。
【００８２】
保持要素１７２は、縦方向側部材間の第１の支持領域１０８内に配置される。第１の光ファイバケーブルであり得る第１の光学導波管１８１が、保持要素および内部オリフィスを通過する。第１の光学導波管は、保持要素１７２内に配置される第１の篏合表面（継ぎ合わせジョイント１６０の左側）を有する。第２の光学導波管が、内部オリフィスを通過し、保持要素１７２内に配置され、第１の篏合表面に接合される第２の篏合表面（継ぎ合わせジョイント１６０の右側）を有する。第２の光ファイバケーブルであり得る第２の光学導波管は、縦方向側部材間に配置され、第２の支持領域１０９と機械的に接触している第２の結合領域１４０を有する。第２の光学導波管は、運動アクチュエータの第２の支持領域から離れるように延びている光送達領域と、光放射先端とをさらに含む。光送達領域は、図１Ｅに図示されるように、次第に細くされることができる。
【００８３】
図１Ｅに図示されるように、保持要素１７２は、継ぎ合わせジョイント１６０を第１の支持領域１０８に対して保持し、第１および第２の光学導波管の一部を支持するように動作可能である。故に、図１Ｅに図示されるように、第２の結合領域１４０と縦方向側部材との間の機械的接触、ならびに、第１および第２の光学導波管と保持要素と運動アクチュエータの第１の支持領域１０８との間の機械的接触は、光学導波管の固定を提供する。同時に、たわみ領域は、第２の光学導波管が、光放射先端が図の平面内で振動するとき、側方に移動することを可能にする。図１Ｅに示されるように、第２の光学導波管は、第２の篏合表面と第２の結合領域１４０との間に配置されたたわみ領域１４２を含み、縦方向側部材とたわみ領域との間の側方分離（すなわち、たわみ距離）を提供することができる。
【００８４】
図１Ｅを参照すると、第１の光学導波管は、光ファイバケーブルとして製作されることができる。いくつかの実施形態では、第２の光学導波管は、第２の光ファイバケーブルとして製作されるが、それは、本発明の実施形態によって要求されない。代替実施形態では、第２の光学導波管は、ファイバ延伸プロセス以外のプロセスを使用して、例えば、微小電気機械的システム（ＭＥＭＳ）または微小光電気機械的システム（ＭＯＥＭＳ）微小製作プロセスを使用して、製作されることができる。したがって、付加製造を使用して製作される成型部分および光学導波管は、本発明の範囲内に含まれる（例えば、カンチレバー構造、チャネル導波管等）。
【００８５】
図１Ｄに関連して上で議論されるように、第２の光ファイバケーブルは、別のタイプの光学導波管構造と置換されることができる。故に、本発明の実施形態は、ファイバ延伸プロセスを使用して製作される光ファイバケーブルと、他の微小製作技法を使用して製作される光学導波管要素の組み合わせを利用することができる。光ファイバケーブルを利用するような本明細書に説明される実施形態は、１つ以上の光ファイバケーブルの代わりに、またはそれと組み合わせて、他の形態の光学導波管構造を利用するように修正されることができることに留意されたい。したがって、要素として光ファイバケーブルを使用するように図示される実施形態は、この特定の導波管設計に限定されず、他の光学導波管設計も、これらの実施形態において利用されることができる。当業者は、多くの変形例、修正、および代替を認識するであろう。
【００８６】
図２Ａは、本発明のある実施形態による、凹角プロファイルを含む成形ファイバを図示する簡略化された側面図である。図２Ａに図示される実施形態では、光ファイバケーブルの光送達領域は、運動アクチュエータの投影領域を構成するアクチュエータ間の直径を修正するようにエッチングまたは別様に処理される。図２Ａに図示されるように、光送達領域は、送達導波管に隣接して（例えば、それを包囲して）凹角プロファイルを含む。ファイバが、運動作動に応答して、図の平面内で振動するとき、凹角プロファイル２１０に隣接する送達導波管２０５の部分は、送達導波管２０５の縁２２０が、縁が凹角プロファイルと接触すると、凹角プロファイル２１０の輪郭に実質的に合致するので、低減した歪みを経験するであろう。
【００８７】
凹角プロファイル２１０を特徴とする滑らかに湾曲した表面は、寿命のために有益である低減した応力接触表面を提供する。図２Ａに図示される凹角プロファイルは、本明細書で議論される他の設計の中に統合されることができる。凹角プロファイルを製作する方法は、図３Ａ−３Ｃに関してさらに詳細に議論される。当業者は、多くの変形例、修正、および代替を認識するであろう。
【００８８】
テーパ状端部を伴うテーパ状ファイバが、図２Ａに図示されるが、それは、本発明によって要求されず、ファイバの端部は、他の光学構造を特徴とすることができる。例として、レンズ状要素が、利用され得る。図２Ｂは、本発明のある実施形態による、光学要素をファイバの先端に含む成形ファイバを図示する簡略化された側面図である。光学要素２３０は、ファイバの先端の中に統合される。光学要素は、レンズとして集束させること、ファイバ出力をコリメートすること等を含むいくつかの光学機能のうちの１つを提供することができる。いくつかの実施形態では、光学性質に加え、光学要素は、機械的機能のためにも役立ち、光学要素の質量が、カンチレバーファイバの振動運動を強調するために利用される。
【００８９】
図３Ａは、本発明のある実施形態による、光学導波管およびエッチング耐性ジャケットの一部を図示する簡略化された側面図である。図３Ａに図示されるように、光ファイバであり得る光学導波管３２０が、部分的に、エッチング耐性ジャケット３１０でコーティングされる。エッチング耐性ジャケットは、エッチング等に耐性がある材料を使用して形成されることができる。
【００９０】
図３Ｂは、本発明のある実施形態による、図３Ａに図示されるエッチング耐性ジャケットの下でのエッチング液の吸い上げ（ｗｉｃｋｉｎｇ）を図示する簡略化された側面図である。光学導波管３２０およびエッチング耐性ジャケット３１０が、エッチング溶液にさらされると、導波管の露出部分３２２は、導波管の直径Ｄの減少によって図示されるように、エッチングされるであろう。加えて、介在物が、ジャケット／導波管界面に形成されることができ、毛細管作用が、導波管（例えば、ファイバ）とジャケットとの間のエッチング液を引き出し、その結果、エッチング液の一部は、ジャケットの下で吸い上げ、図３Ｂに図示される凹角プロファイル３２４をエッチングするであろう。
【００９１】
図３Ｃは、エッチング耐性ジャケットの下でのエッチング液のさらなる吸い上げを図示する簡略化された側面図である。エッチングプロセスが継続するにつれて、露出部分における導波管の直径は、減少し続け、凹角プロファイルが、ジャケットの下のより深い深度に形成される。エッチングプロセスは、所望の凹角プロファイルが形成されるまで継続される。ＢＯＥ等のいくつかのエッチング化学物質を使用して、直径低減約５０μｍに関連付けられた凹角プロファイルが、１時間未満、例えば、２０分で遂行されることができる。
【００９２】
図３Ｄは、本発明のある実施形態による、光学導波管のテーパ形成を図示する簡略化された側面図である。凹角プロファイルの形成後、図３Ｄに図示されるテーパ状プロファイル３４０が、追加の材料除去プロセスを使用して製作されることができる。例として、元のエッチング耐性ジャケットは、除去され得、および／またはファイバは、再び追加のエッチング耐性ジャケットでコーティングされ得、二次エッチングプロセスが、所望のテーパ状プロファイルを形成するために使用され得る。
【００９３】
図３Ｅは、本発明のある実施形態による、成形ファイバを製作する方法を図示する簡略化されたフローチャートである。方法３５０は、光ファイバケーブルを提供すること（３６０）と、光ファイバケーブルの一部をエッチングジャケットで被覆し、光ファイバケーブルの露出領域と光ファイバケーブルの被覆領域とを画定すること（３６２）とを含む。方法は、光ファイバケーブルの露出領域およびエッチングジャケットをエッチング溶液にさらすこと（３６４）と、エッチング溶液にさらすことに応答して、光ファイバケーブルの露出領域の少なくとも一部を除去すること（３６６）とも含む。方法はさらに、エッチングジャケット下にエッチング溶液を吸い上げ、光ファイバケーブルの被覆領域の少なくとも一部を除去すること（３６８）を含む。ある実施形態では、エッチングジャケットの下でエッチング溶液を吸い上げることは、エッチング溶液の毛細管作用流動を含む。一実装では、エッチングジャケットの下の除去される光ファイバケーブルの被覆領域の部分は、凹角プロファイルによって特徴付けられる。
【００９４】
図４は、本発明のある実施形態による、支持フランジを含む成形ファイバを図示する簡略化された側面図である。図４に図示されるように、運動アクチュエータは、中空圧電管として実装されることができ、それを光ファイバケーブルが通過する。本実施形態では、光ファイバケーブルの初期直径（例えば、外側クラッディング直径）は、運動アクチュエータの内径より大きい。例として、５００μｍ直径ファイバから開始し、平面４０３の左の部分は、運動アクチュエータの内径と実質的に等しい直径にエッチングされる。したがって、フランジ４２５が、フランジが運動アクチュエータの端部を被覆するように作成される。フランジの存在は、カンチレバーの基部領域がアクチュエータの正面表面まで延びているので、運動アクチュエータと光ファイバケーブルとの間の強固な機械的結合を提供する。
【００９５】
再び図４を参照すると、運動アクチュエータと、運動アクチュエータを通過する光ファイバケーブルとを含むファイバアクチュエータ機構が、提供される。運動アクチュエータ４１０は、縦方向側部材４１２および４１４と、縦方向側部材間に配置された内部オリフィス４１１と、運動アクチュエータの一端に配置される支持領域４１６と、支持領域に対向し、投影面４１９を有する投影領域４１８とを有する。
【００９６】
光ファイバケーブル４２０は、内部オリフィス４１１を通過し、光ファイバケーブル４２０は、縦方向側部材間に配置され、投影領域と機械的に接触する結合領域を有する。光ファイバケーブルはまた、運動アクチュエータの投影領域から離れるように延びている光送達領域を有する。光送達領域は、投影領域の投影面に沿って延びているフランジ４２５を含む。図示される実施形態では、投影面は、実質的に平面であり、フランジも、実質的に平面であり、２つの表面間に緊密な合わさりを提供する。光ファイバケーブルは、光放射先端（図４には図示されないが、図１Ａに図示される）をさらに含む。
【００９７】
ある実施形態では、光ファイバケーブルの光送達領域は、図４に図示されるように、投影領域の投影面から離れるように縦方向に延びているテーパ状領域を含む。テーパ状領域は、特定の用途に対する必要に応じて、線形にテーパ状または非線形にテーパ状であることができる。図４に図示される実装では、テーパ状領域に関連付けられた傾きは、フランジからの距離に伴って減少し、最初に、急峻なテーパ形成角度から開始し、次いで、光放射先端までの距離が減少するにつれて、あまり急峻ではないテーパ状となる。他の実施形態では、傾きは、他の様式において変動させられる。当業者は、多くの変形例、修正、および代替を認識するであろう。
【００９８】
運動アクチュエータがセラミック圧電材料を利用する実施形態では、運動アクチュエータは、それが振動するとき、比較的に剛である一方、ファイバは、より可撓になる。故に、振動範囲の端部において、ファイバは、ファイバが振動範囲の端部に到達しているので、圧力を圧電材料上に及ぼす。その結果、圧電アクチュエータの先端は、強い力を経験する。これらの力に対処するために、いくつかの実施形態は、圧電アクチュエータを部分的に包囲するファイバ構造を利用する。
【００９９】
図５Ａは、本発明のある実施形態による、運動アクチュエータ結合領域を含む成形ファイバを図示する簡略化された側面図である。図５Ａに図示される実装では、運動アクチュエータ（例えば、圧電アクチュエータ）の縦方向側部材の端部のためのポケットが、光ファイバケーブルが運動アクチュエータの一部を包囲する要素を含むように提供される。本実施形態は、動作中、光ファイバケーブルが平面内で振動するとき、運動アクチュエータ要素（例えば、縦方向側部材の端部）が亀裂を生じることを防止する。構造完全性も、縦方向側部材の表面と光ファイバケーブルの表面とが重複する表面積が増加するので、増加させられる。
【０１００】
図５Ａに図示される直接機械的結合は、縦方向側部材の端部を光ファイバケーブル内に形成されるポケット内に収める。光ファイバケーブルの対向する内側表面および外側表面によって加えられる圧力は、運動アクチュエータアームの亀裂を防止する。
【０１０１】
図５Ａを参照すると、運動アクチュエータと、光ファイバケーブルとを含むファイバアクチュエータ機構が、提供される。運動アクチュエータは、縦方向側部材と、縦方向側部材間に配置された内部オリフィスと、運動アクチュエータの一端に配置される支持領域と、支持領域に対向する投影領域とを有する。投影領域は、内部オリフィスの投影内部表面５２０と、投影面５２２と、投影外部表面５２４とを有する。
【０１０２】
光ファイバケーブルは、内部オリフィスを通過し、光ファイバケーブルは、縦方向側部材間に配置され、投影領域と機械的に接触する結合領域と、運動アクチュエータの投影領域を包囲し、それから離れるように延びている光送達領域と、光放射先端とを有する。光送達領域は、投影内部表面５２０と平行な第１の領域５２１と、投影面５２２と平行な第２の領域５２３と、投影外部表面５２４と平行な第３の領域５２５とを含む。光放射先端（図示せず）も、光ファイバケーブルの要素である。
【０１０３】
図５Ａに図示される実施形態では、ファイバの第１の領域５２１は、運動アクチュエータの投影内部表面５２０と機械的に接触し、第２の領域５２３は、投影面５２２と機械的に接触する。他の実施形態では、第３の領域５２５は、投影外部表面５２４と機械的に接触する。光送達領域は、ファイバおよび運動アクチュエータの追加の機械的支持を提供するための投影領域を包囲する第４の領域５３０をさらに含むことができる。図５Ａでは、接触表面は、下で説明されるように、断面において実質的に平面の、例えば、円筒形であるが、それは、本発明によって要求されない。
【０１０４】
図５Ｂは、本発明の別の実施形態による、運動アクチュエータ結合領域を含む成形ファイバを図示する簡略化された側面図である。図５Ｂに図示される実施形態では、製作プロセスは、角張った表面ではなく、湾曲特徴を含む表面を形成する。加えて、運動アクチュエータの端部は、図５Ｂに図示されるように、実質的に平坦であることができるが、他の実施形態では、端部は、特定の用途に対する必要に応じて、丸みを帯びているか、または他の形状によって特徴付けられることができる。図５Ｂに図示される実施形態では、縦方向側部材の幅が、ポケットの幅より広い場合、ポケットを包囲するファイバの部分は、縦方向側部材がポケットの中に挿入されるにつれて曲がり、ポケットの内部表面と縦方向側部材の外部表面との間の緊密接触を提供するであろう。
【０１０５】
用途に応じて、ポケットと縦方向側部材との間の表面接触は、十分な機械的結合を確実にするために十分なレベルで提供される。例えば、接触表面のサイズ（例えば、長さおよび幅）は、いくつかの実施形態では、接着剤を使用せずに、機械的支持を提供するように選択される。他の実施形態では、エポキシを含む追加の接着材料が、機械的結合を向上させるために使用されることができ、湾曲特徴は、組み立て中、エポキシが移動する余地を提供する。例えば、注封材料（ｐｏｔｔｉｎｇ  ｍａｔｅｒｉａｌ）が、運動アクチュエータにおいて利用されることができるセラミック材料の拡張に対抗するために使用され、高フープ応力を提供することができる。
【０１０６】
図５Ｃは、本発明のさらに別の実施形態による、運動アクチュエータ結合領域を含む成形ファイバを図示する簡略化された側面図である。図５Ｃに図示される実施形態では、断面において実質的に平面の内部表面を伴うポケットが、丸みを帯びた外側表面と併せて利用される。
【０１０７】
図５Ａ−５Ｃに図示される構造を製作するために、レーザアブレーションおよび／または彫刻プロセスが、利用され、ポケットを形成することができ、その中に、運動アクチュエータ要素が挿入される。例えば、ファイバは、運動アクチュエータを通過するであろう部分を形成し、第４の領域５３０を含む大径区分を残すようにエッチングされることができる。そして、露出表面は、レーザアブレートされ、ポケットを形成することができる。別の好適な製作技法は、例えば、多段階マスクおよびエッチングプロセスにおいて、マスクし、所望の構造をエッチングすることである。エッチングとレーザアブレーションとの組み合わせも、陥凹またはポケットを形成するために使用されることができる。
【０１０８】
図６Ｂは、本発明のある実施形態による、エッチングシステムを図示する。図６Ｂに図示される実施形態では、サファイアまたは他のエッチング耐性容器６５０が、部分的に、エッチング溶液６５２（例えば、ＨＦベースの酸混合物）と、不活性溶液６５４（例えば、イソオクタン）とで充填される。エッチング溶液６５２は、本明細書に説明される光学要素のエッチングのために好適な種々の成分を含むことができ、フッ化アンモニウム等の表面活性剤を含む緩衝酸化物エッチング（ＢＯＥ）溶液等を含む。不活性溶液６５４は、この実装では、エッチング溶液より低密度であり、エッチング液の蒸発を防止し、不活性溶液中に浸漬されたファイバの部分が、例えば、エッチング液の蒸発およびファイバの結果として生じる蒸発エッチングによって、エッチングされることを防ぐ。不活性層は、いくつかの実装では、浮遊層と称され得る。
【０１０９】
エッチングされるべきファイバ６７０の部分は、エッチング溶液の中に挿入され、例えば、不活性溶液を通過し、エッチング溶液に進入する。ファイバが、エッチング溶液から所定の率で引き出されるにつれて、所望のプロファイルが、ファイバのエッチング部分の中にエッチングされる。図６Ｂでは、ファイバは、エッチング溶液の表面と垂直な垂直方向に挿入されるように図示される。いくつかの実施形態では、ファイバが挿入および／または引き出される角度は、制御され、例えば、時間の関数として変動させられ、達成されるエッチングプロファイルを制御する。
【０１１０】
図６Ｂは、カメラ６５６を図示し、それは、ファイバの一部がエッチング溶液６５２中に浸漬されているときのファイバ６７０を撮像するために使用され得る。図６Ｂに図示される実施形態では、カメラ６５６は、不活性溶液６５４とエッチング溶液６５６との間の界面６５３と水平に位置付けられる。他の実施形態では、カメラは、界面の上方、界面の下方等に設置されることができる。そのようなオフセットビューでは、カメラは、エッチング液のメニスカス線の干渉画像、または異なる材料の界面（不活性またはエッチング液層等）において視認することによって捕捉され得る屈折誤差を伴わずに、ファイバを観察することができる。言い換えると、オフセット角度では、カメラは、より少ない数の中間媒体を通してファイバを視認し、より少ない屈折率の伝搬される捕捉光がカメラに到着するように補償する捕捉された画像に基づいて、エッチング率を計算し得る。加えて、オフセットは、追加の画像情報の収集を可能にする。図６Ｂに描写される水平視認は、直径変化の関数として、エッチング率視認を可能にするが、オフセットビューは、単に、特定のビューに従った直径幅以外に、ファイバ外部に沿って生じるエッチングプロセスの均一度等のある円周エッチング特性も捕捉し得る。エッチング槽の攪拌に関連してさらに詳細に本明細書に説明されるいくつかの実施形態では、オフセットビューから決定されるような非均一エッチングは、非均一エッチングが観察される場合、撹拌機をトリガし、ファイバの位置を変化させ得る。加えて、単一カメラが、図６Ｂに図示されるが、界面６５３に対して種々の向きで設置された複数のカメラが、本発明の実施形態によって利用されることができる。カメラ６５６を使用して、ユーザは、エッチングシステムへの挿入およびそこからの引き出し中、界面６５３およびファイバ６７０を視認することを可能にされる。例として、１つ以上のカメラを使用して、界面におけるファイバの直径が、決定され、エッチングプロセスを制御することにおいて利用されることができる。故に、本発明の実施形態は、１つ以上のカメラ、コンピュータビジョンシステム等を利用し、本明細書に説明されるように、所定の長さおよび直径を有する種々の区分を伴うファイバ要素を達成する。
【０１１１】
光ファイバケーブルは、エッチング耐性マスクでマスクされ、エッチング溶液の中に挿入されるにもかかわらず、エッチングされないであろうマスク領域を形成することができる。マスクは、マスク領域のエッチングを防止し、例えば、図１Ｃに図示されるたわみ領域１４２を製作する。続いて、マスクは、除去され、光ファイバケーブルが、光ファイバケーブルの投影領域をエッチングするために、以前にエッチングされたたわみ領域とともに、エッチング溶液の上方に再挿入されることができる。
【０１１２】
図６Ｂに図示されるエッチングシステムは、図１Ｄにおける第２の光ファイバケーブルによって図示されるような光学導波管構造を製作するために利用されることができる。ファイバ継ぎ合わせ部１６０に隣接する端部は、ファイバが引き出されるにつれて増加したエッチングを生産するように変動させられた率でのエッチング溶液への挿入およびそれからの引き出しによって、エッチングされることができる。続いて、光送達領域１３６および光放射先端１３８が、所望のテーパ状プロファイルを形成するためにエッチングされることができる。
【０１１３】
図６Ａは、本発明のある実施形態による、成形ファイバを製作する方法を図示する簡略化されたフローチャートである。図６Ａに図示される方法は、図６Ｂに図示されるような２層エッチングシステムを利用するが、それは、本発明によって要求されず、エッチングシステムの他の構成も、本発明のある実施形態によると、利用されることができる。
【０１１４】
図６Ａを参照すると、方法は、支持領域および放射領域を有する光ファイバケーブルを提供すること（６１０）と、エッチング溶液を提供すること（６１２）とを含む。方法は、放射領域の少なくとも一部をエッチング耐性マスクでコーティングすること（６１４）と、支持領域をエッチング溶液の中に挿入すること（６１６）と、支持領域の中心部分をエッチングすること（６１８）とも含む。ある実施形態では、ファイバの支持領域は、運動アクチュエータの内径と実質的に同一直径であり、支持領域の中心部分は、たわみ領域を形成するためにエッチングされる一方、運動アクチュエータと機械的に接触するであろう支持領域の部分におけるファイバ直径を保存する。
【０１１５】
方法は、放射領域上のコーティングを除去すること（６２０）と、放射領域をエッチング溶液の中に挿入すること（６２２）と、放射領域をエッチングすること（６２４）とをさらに含む。いくつかの実施形態では、支持領域は、放射領域がエッチングされる前、エッチング耐性コーティングで部分的または全体的にコーティングされる。放射領域のエッチングは、テーパ状プロファイル等を形成することができる。
【０１１６】
光ファイバケーブルが、図６Ａに関連して議論されるが、本明細書に説明される方法は、他の光学導波管構造の製作にも適用可能であり、本発明は、光ファイバケーブルから形成される成形ファイバの製作に限定されず、光ファイバ以外の開始材料から製作される成形光学導波管を含むことができる。
【０１１７】
図６Ａに図示される具体的ステップは、本発明のある実施形態による、成形ファイバを製作する特定の方法を提供することを理解されたい。他のステップのシーケンスも、代替実施形態に従って実施され得る。例えば、本発明の代替実施形態は、上で概略されたステップを異なる順序で実施し得る。さらに、図６Ａに図示される個々のステップは、個々のステップの必要に応じて種々のシーケンスで実施され得る複数のサブステップを含み得る。さらに、追加のステップが、特定の用途に応じて、追加または除去され得る。当業者は、多くの変形例、修正、および代替を認識するであろう。
【０１１８】
図６Ｄは、本発明のある実施形態による、エッチングされたファイバ導波管を製作する方法を図示する簡略化されたフローチャートである。方法６８５は、エッチング溶液を含むエッチング液システムを提供すること（６９０）と、光ファイバケーブルの第１の端部をエッチング溶液の中に挿入すること（６９２）とを含む。エッチング溶液は、ＨＦ酸を含むことができる。方法は、光ファイバケーブルの第１の端部を第１の率で引き出すこと（６９４）も含む。第１の率は、時間の関数として変動し、例えば、時間の関数として減少し、エッチングプロセスの終了間近に処理された端部においてより厚いテーパ状構造を形成することができる。第１の率における減少（または増加）は、非線形または線形であることができる。
【０１１９】
方法は、第１の端部に対向する光ファイバケーブルの第２の端部をエッチング溶液の中に挿入すること（６９６）と、光ファイバケーブルの第２の端部を第２の率で引き出すこと（６９８）とをさらに含む。第２の率は、時間の関数として変動し、例えば、時間の関数として減少することができる。第２の率における減少（または増加）は、非線形または線形であることができる。
【０１２０】
図６Ｄに図示される具体的ステップは、本発明のある実施形態による、エッチングされたファイバ導波管を製作する特定の方法を提供することを理解されたい。他のステップのシーケンスも、代替実施形態に従って実施され得る。例えば、本発明の代替実施形態は、上で概略されたステップを異なる順序で実施し得る。さらに、図６Ｄに図示される個々のステップは、個々のステップの必要に応じて種々のシーケンスで実施され得る複数のサブステップを含み得る。さらに、追加のステップが、特定の用途に応じて、追加または除去され得る。当業者は、多くの変形例、修正、および代替を認識するであろう。
【０１２１】
図６Ｂに図示されるように、エッチング液システムは、例えば、エッチング溶液の上方に浮遊するエッチング溶液に隣接する不活性溶液を含むことができる。この場合、不活性溶液は、エッチング溶液より低密度であり、例えば、エッチング溶液としてのＨＦのための不活性溶液としてのイソオクタンである。いくつかの実装では、第１の端部と第２の端部との間に配置される光ファイバケーブルの中心部分は、図６Ｄに図示されるプロセス中、エッチングされず、第１の端部および第２の端部は、異なる成形プロファイルを有することができる。
【０１２２】
いくつかの実施形態は、レンズをファイバの先端上に提供する。本明細書に説明されるファイバ成形プロセスは、例えば、ファイバの先端をマスクし、ファイバの他の領域のための所望の形状を形成することによって、そのようなレンズをファイバ先端上に形成するために利用されることができる。そして、すでに完了された他の領域は、マスクされることができ、先端上のマスクは、除去され、レンズが、先端上に形成されることができる。代替実施形態では、順序は、逆転され、最初に、レンズが先端上に形成され、そして、ファイバの側面が、続いて、成形または彫刻される。レンズは、六角形レンズまたは他の好適な光学形状として製作されることができる。当業者は、多くの変形例、修正、および代替を認識するであろう。
【０１２３】
図１Ｅに示される構造を参照すると、光ファイバケーブルであり得る第１の光学導波管と、第２の光学導波管とを利用する利点は、第２の光学導波管が、図６Ｂに図示される２レベルエッチングシステムを使用して製作されることができることである。第２の光学導波管のたわみ領域１４２は、エッチングシステム中でエッチングし、支持部分１４０の寸法を保存し、送達および放射区分となるであろう第２の光学導波管の部分をエッチングしないことによって、製作されることができる。続いて、第２の光学導波管の右側が、２レベルエッチングシステムを使用して、製作され、例えば、図示されるような次第に細くされることができる。当然ながら、順序は、逆転され得る。２つの端部の製作後、第２の光学導波管は、第１の光学導波管に継ぎ合わせられることができる。故に、この設計は、他の技法と比較して、製作プロセスを簡略化する。
【０１２４】
図６Ｃは、本発明のある実施形態による、エッチングシステムを図示する。図６Ｃに図示される実施形態では、３層アプローチが、利用され、エッチング耐性容器６５０は、部分的に、エッチング溶液より高濃度であり、不活性層６６０を形成する第１の不活性材料と、エッチング溶液６５２と、エッチング溶液より低濃度であり、第２の不活性層６６２を形成する第２の不活性材料とで充填される。例として、ＨＦベースのエッチング溶液を使用すると、ＫｒｙｔｏｘＴＭ油等の油が、第１の不活性材料として使用されることができ、イソオクタンが、第２の不活性材料として使用されることができる。この３層エッチングシステムを使用すると、エッチング溶液の中に挿入されるファイバの部分のみが、エッチングされ、図１Ｃに図示されるものに類似する構造が製作されることを可能にし、ファイバの中心部分（例えば、たわみ領域）が、エッチングされ、中心部分を包囲する端部と比較して、側方縮径部を光ファイバケーブル内に形成する。いくつかの実施形態では、エッチングされないファイバの部分、例えば、両端は、中心部分がエッチングされるとき、マスクして隠され、不活性層によって提供される保護を補完する。
【０１２５】
図６Ｃに図示される３層エッチングシステムを利用して、成形ファイバを製作する方法が、提供されることができる。方法は、支持領域および放射領域を有する光ファイバケーブルを提供することと、エッチング溶液を提供することとを含む。エッチング溶液は、第１の不活性層と、第１の不活性層に隣接するエッチング層と、エッチング層に隣接する第２の不活性層とを含む。方法は、放射領域の少なくとも一部をエッチング耐性マスクでコーティングすることと、支持領域をエッチング層の中に挿入することと、支持領域の中心部分をエッチングし、支持領域の区分間に配置され、支持領域の区分より細い直径によって特徴付けられるたわみ領域を形成することとを含む。方法は、放射領域の少なくとも一部上のコーティングを除去することと、放射領域をエッチング層の中に挿入することと、放射領域をエッチングし、テーパ状プロファイルを形成することとをさらに含む。
【０１２６】
第１の不活性層は、イソオクタンを含むことができ、エッチング層は、ＨＦ酸を含むことができる。第２の不活性層は、エッチング層内の材料より高濃度の不活性材料を含むことができる。図１Ｃを参照すると、結合領域の右の光ファイバケーブルの部分は、たわみ領域のエッチング中、マスクされ、これらの領域のエッチングを防止することができる。同様に、たわみ領域がエッチングされた後、この領域は、必要に応じて、光ファイバケーブルの投影領域が、エッチングされ、所望のテーパ状プロファイルを形成する間、マスクされることができる。このプロセスに関する変形例も、本発明の範囲内に含まれ、追加の領域のマスク、エッチングを促進するためのマスクされた領域の一部の除去、処理の順序の逆転等を含む。
【０１２７】
光ファイバケーブルは、本明細書で議論される成形および／またはテーパ状構造を形成するためにエッチングされる導波管として図示されるが、本発明の実施形態は、光ファイバケーブルのエッチングに限定されないことに留意されたい。他の導波管構造も、本明細書に説明される技法を使用して、エッチングおよび成形されることができる。当業者は、多くの変形例、修正、および代替を認識するであろう。
【０１２８】
本明細書に説明されるエッチングシステム、例えば、図６Ｂに図示される２層エッチングシステムの使用中、光ファイバケーブルの親水性特性は、エッチング液と不活性層との間の界面に形成されるメニスカスをもたらす。ファイバが、エッチング液から引き出されるとき（例えば、先端が光送達領域よりエッチングされるテーパ状プロファイルを形成するための時間の関数としての増加率で）、エッチング溶液は、したがって、容器６５０の縁に存在するエッチング液の表面より上のレベルにおいてファイバに接着することができる。ファイバの近傍におけるエッチング溶液のこの吸い上げは、引力が表面張力を超える点に高さが到達するまで、ファイバが引き出されるとき、支持されるであろう。この時点で、エッチング溶液は、エッチングの表面によって画定されたレベルまで崩れ落ちるであろう。メニスカスがファイバに接着している時間の間に生じる追加のエッチングは、所望のファイバ形状のオーバーレイとして、ファイバのスカロッピングをもたらし得る。
【０１２９】
図６Ｅは、本発明の特定の実施形態による、エッチングシステムを図示する。図６Ｅでは、代替２層エッチングシステムが、図示され、第１のエッチングの層６０４および第２のエッチングの層６０２は、不活性層６０３によって分離される。エッチング液および不活性層は、上で説明されるエッチング液および不活性層と類似性を共有することができる。図６Ｅに図示されるエッチングシステムは、図１Ｂに図示されるたわみ領域を含む成形ファイバに類似する構造を形成するために利用されることができる。この例では、成形ファイバは、最初に、ファイバを図６Ｅに図示される槽の中に挿入し、それによって、ファイバの端部をエッチングする一方、中心に位置する支持部分１４０の元の寸法を保存することによって形成され得る。ファイバのたわみ領域の形成および放射端部の初期成形後、ファイバは、図６Ｂに示されるようなエッチングシステム中に浸漬され、ファイバの放射端部をさらにテーパ状にすることができる。したがって、本明細書に説明されるエッチングシステムの組み合わせを使用して、コンポーネントは、光ファイバケーブルが、挿入および除去され、回転され、続いて、再挿入される方法の代替として、１つ以上の線形に段階化されたエッチングシステムの組（例えば、エッチング槽）の中への垂直挿入の使用によって製作されることができる。故に、本明細書に説明されるエッチングシステムの組み合わせは、所望の形状を伴うコンポーネントを製作するために利用されることができることを理解されたい。当業者は、多くの変形例、修正、および代替を認識するであろう。
【０１３０】
図７は、本発明のある実施形態による、テーパ状ファイバ放射先端を製作する方法を図示する簡略化されたフローチャートである。図７に図示される方法は、上で説明されるようなファイバの側面のスカロッピングを低減または防止する。テーパ状ファイバ放射先端を製作する方法７００は、放射領域を有する光ファイバケーブルを提供すること（７１０）と、不活性層およびエッチング液を含むエッチング溶液を提供すること（７１２）とを含む。エッチング液は、エッチング層とも称され得る。方法はまた、放射領域を不活性層を通してエッチング液の中に挿入すること（７１４）と、放射領域の一部をエッチングすること（７１６）とを含む。
【０１３１】
ファイバの側面の望ましくないスカロッピングを防止するために、方法は、放射領域がエッチング液から引き出されるとき（７２０）、撹拌を放射領域とエッチング液との間に導入すること（７１８）を含む。撹拌の導入は、エッチングおよび不活性層を含むエッチングシステムの撹拌によって実装されることができる。他の実装では、撹拌を導入することは、エッチングシステムに対する光ファイバケーブルの撹拌によって遂行されることができる。これらの実装では、光ファイバケーブルは、側方に移動させられ、側方撹拌を導入することができる。側方撹拌は、ランダム、半ランダム等であることができる。そのようなランダム化は、望ましくない可能性がある定常波を防止することができる。撹拌および結果として生じる溶液表面形状は、所望のファイバ形状を提供するように制御されることができる。
【０１３２】
他の実施形態では、光ファイバケーブルの撹拌は、光ファイバケーブルの縦方向撹拌を導入することによって遂行されることができる。さらに、これらの方法に加え、光ファイバケーブルの撹拌は、光ファイバケーブルの回転によって遂行されることができる。種々の本明細書に説明される方法は、側方に、縦方向に、または組み合わせてのいずれかにおいて、組み合わせられ、例えば、エッチングシステムの攪拌および光ファイバケーブルの撹拌の両方を実施することができる。
【０１３３】
図７に図示される方法は、テーパ状ファイバ放射先端の製作に関連して議論されたが、本発明は、この特定の構造に限定されず、所定の縦方向範囲にわたって一定直径を有し得るたわみ領域を含む本明細書で議論されるファイバおよび光学導波管の他の部分にも適用可能である。この場合、スカロッピングの低減または防止は、所望の一定直径を保存するであろう。図７に図示される具体的ステップは、本発明のある実施形態による、テーパ状ファイバ放射先端を製作する特定の方法を提供することを理解されたい。他のステップのシーケンスも、代替実施形態に従って実施され得る。例えば、本発明の代替実施形態は、上で概略されたステップを異なる順序で実施し得る。さらに、図７に図示される個々のステップは、個々のステップの必要に応じて種々のシーケンスで実施され得る複数のサブステップを含み得る。さらに、追加のステップが、特定の用途に応じて、追加または除去され得る。当業者は、多くの変形例、修正、および代替を認識するであろう。
【０１３４】
図８は、本発明の別の実施形態による、テーパ状ファイバ放射先端を製作する方法を図示する簡略化されたフローチャートである。上で議論されるように、図８は、テーパ状ファイバ放射先端の製作に関連して議論されるが、本発明は、この特定の構造に限定されず、たわみ領域および他の領域を含む本明細書で議論されるファイバおよび光学導波管の他の部分にも適用可能である。ファイバが、時間の関数として変動し得る所定の率で、エッチング液に浸漬され、そこから完全に引き出される方法の代替を提供する方法では、ファイバは、エッチング液中に第１の所定の深度まで浸漬され、完全に引き出され、次いで、第２の所定の深度まで再浸漬される。引き出しプロセスは、上で議論されるように、ファイバ上に形成されるメニスカスを破壊し得る。
【０１３５】
図８を参照すると、テーパ状ファイバ放射先端を製作する方法８００は、放射領域を有する光ファイバケーブルを提供すること（８１０）と、不活性層およびエッチング層を含むエッチング溶液を提供すること（８１２）とを含む。したがって、方法では、図６に図示されるエッチング液６５２は、エッチング層と称される。方法は、放射領域を不活性層を通してエッチング層内の第１の深度まで挿入すること（８１４）と、放射領域の一部をエッチングすること（８１６）とも含む。方法は、少なくとも部分的に、放射領域をエッチング層から引き出し（８１８）、エッチング液の表面張力を破壊することと、放射領域を不活性層を通して第１の深度未満のエッチング層内の次の深度まで再挿入すること（８２０）とをさらに含む。
【０１３６】
少なくとも部分的に、放射領域を引き出し、放射領域を再挿入するプロセスは、所定回数、繰り返され（８２２）、エッチング層からの放射領域の段階的かつ完全引き出しを効果的に遂行する（８２４）。ある実施形態では、次の深度は引き出しおよび再挿入プロセスの繰り返し中、徐々に減少させられる。
【０１３７】
図８に図示される具体的ステップは、本発明のある実施形態による、テーパ状ファイバ放射先端を製作する特定の方法を提供することを理解されたい。他のステップのシーケンスも、代替実施形態に従って実施され得る。例えば、本発明の代替実施形態は、上で概略されたステップを異なる順序で実施し得る。さらに、図８に図示される個々のステップは、個々のステップの必要に応じて種々のシーケンスで実施され得る複数のサブステップを含み得る。さらに、追加のステップが、特定の用途に応じて、追加または除去され得る。当業者は、多くの変形例、修正、および代替を認識するであろう。
【０１３８】
図９は、本発明のある実施形態による、エッチングプロセスを使用して、成形ファイバを製作する方法を図示する簡略化されたフローチャートである。図１０Ａ−１０Ｄは、図９に関連して提供される方法による、ファイバの処理を図示する簡略化された側面図である。
【０１３９】
図９を参照すると、方法９００は、放射領域および放射面を有する光ファイバケーブルを提供すること（９１０）と、放射領域をエッチング耐性マスクでコーティングすること（９１２）と、放射面に隣接する放射領域の一部を露出し、側壁マスクおよび放射面マスクを形成すること（９１４）とを含む。図１０Ａを参照すると、光ファイバケーブルは、放射領域１０１０と、放射面１０１２とを有する。光ファイバケーブルの放射領域１０１０および放射面１０１２は、エッチング耐性マスク１０１４でコーティングされる。したがって、マスクは、ファイバの端部および側面の両方をコーティングするように図示される。図１０Ｂを参照すると、放射面に隣接する放射領域の一部の露出後、露出部分は、除去され、側壁マスク１０２０と、放射面マスク１０２２とを形成する。マスクによって被覆されないファイバの部分は、次いで、下で説明されるように、エッチングされることができる。
【０１４０】
側壁マスク１０２０と放射面マスク１０２２との間の空間分離は、図１０Ｂでは、Ｌとして図示され、エッチングされるプロファイルの形状を制御するために使用されることができる。小さい分離に対して、エッチング液は、マスクの下に効果的に吸い上げられる一方、より大きい分離に対して、ファイバの側面は、著しくエッチングされる。空間分離を選択することによって、ファイバ先端の湾曲の制御が、いくつかの実施形態によって提供される。
【０１４１】
方法は、エッチング溶液を提供すること（９１６）と、放射領域をエッチング溶液の中に挿入すること（９１８）と、放射領域の一部をエッチングし、連続的により深いエッチングプロファイルを形成すること（９２０）とも含む。図１０Ｃを参照すると、４つの後続エッチングプロファイル１０３０、１０３２、１０３４、および１０３６が、それぞれ、実線、破線、ドット、および実線によって図示される。エッチングプロセスが進むにつれて、エッチング液は、図示されるプロセスにおいて側壁マスクの下で吸い上げ、図示されるように、エッチングを延長するが、それは、本発明によって要求されない。方法は、エッチング終点を決定すること（９２２）と、放射領域をエッチング溶液から除去すること（９２４）とをさらに含む。図１０Ｄに図示されるように、いくつかの実施形態では、エッチング終点を決定することは、ファイバの放射面（現時点で点まで縮小されている）と、放射面マスク１０２２との間の分離を検出することを含む。例として、マシンビジョンシステムが、放射面マスクを監視し、終点検出機能性を提供し得る。
【０１４２】
図９に図示される具体的ステップは、本発明のある実施形態による、エッチングステップを使用して成形ファイバを製作する特定の方法を提供することを理解されたい。他のステップのシーケンスも、代替実施形態に従って実施され得る。例えば、本発明の代替実施形態は、上で概略されたステップを異なる順序で実施し得る。さらに、図９に図示される個々のステップは、個々のステップの必要に応じて種々のシーケンスで実施され得る複数のサブステップを含み得る。さらに、追加のステップが、特定の用途に応じて、追加または除去され得る。当業者は、多くの変形例、修正、および代替を認識するであろう。
【０１４３】
種々の実施形態では、マスク寸法および材料は、エッチングプロファイルの変動が、多くの終点形状を作成することを可能にする。例として、エッチング化学性質に応じて、エッチング液は、放射面と放射面マスクとの間で吸い上げ、凸面レンズをファイバの端部上に形成することができる。さらに、図１０Ａ−１０Ｄに図示される例は、回転対称であるが、本発明は、この例に限定されず、他のマスク形状、例えば、両側上の開口が、円筒形レンズ要素の作成を可能にするために使用されることができる。さらに、種々のサイズ、向き等の個別的な開口が、恣意的形状のプロファイルを形成し得るエッチング液流入のためのポートを提供するために利用されることができる。当業者は、多くの変形例、修正、および代替を認識するであろう。
【０１４４】
図１０Ａ−１０Ｄに関連して図示されるプロセスに加え、マルチステッププロセスも、本発明の範囲内に含まれる。例として、第１の組の１つ以上のエッチング耐性マスクが、適用され得、第１のエッチングプロセスが、実施され得、後続のマスクが、適用され、後続のエッチングプロセスが続き得る。故に、各々が異なるエッチングプロファイルを作成するために使用される複数のエッチングプロセスが、組み合わせられ、所望の形状のプロファイルを製作することができる。したがって、連続マスキングおよびエッチングプロセスの種々の組み合わせも、本発明の範囲内に含まれる。別の例として、第１のマスキング設計が、第１の成形プロファイルをファイバの端部に生産するために利用され得る。第２の異なる放射面マスクが、次いで、異なる向きに適用され、代替形状をファイバの端部にエッチングし得る。フォトリソグラフィプロセスを使用して、高レベルの制御が、マスクに適用され、エッチングプロファイルのための高レベルの制御を可能にすることができる。例として、放射面マスク１０２０は、放射面より大きい直径を有し、それによって、全面を被覆するが、それは、要求されず、一部が全面を被覆し、その他が面の一部のみを被覆する異なる放射面マスクも、単一ステップまたはマルチステップエッチングプロセスにおいて利用されることができる。さらに、マスクの厚さ同様に、その被覆面積も、本発明の実施形態によると、制御可能である。
【０１４５】
いくつかの実施形態では、ファイバの端部をマスクするのではなく、側面が、ジャケットでマスクされ、端部が、露出され、ジャケット下でのエッチング液の吸い上げを可能にし、成形先端をファイバ上に形成することができる。成形先端は、円錐形構造、六角形レンズ等として形成されることができる。
【０１４６】
図１０Ｅは、本発明のある実施形態による、保護カバーを伴うファイバを図示する簡略化された斜視図である。当業者に明白であろうように、光ファイバの導波性質は、ファイバのコアおよびクラッディングのために利用される異なる材料に関連付けられた異なる屈折率から生じる。例として、溶融シリカのクラッディングと、ドープされた溶融シリカコアとを伴い、それによって、異なる屈折率を提供するファイバに対して、コア／クラッディング界面は、エッチング液（例えば、ＨＦベースのエッチング液）による侵入を受けやすく、エッチング液は、界面に沿って、またはコアの中に吸い上げ、コアを優先的にエッチングし得る。加えて、コアおよびクラッディングのためのエッチング率は、異なり得、したがって、コアは、クラッディングより急速にエッチングされ得る。
【０１４７】
故に、本発明の実施形態は、コアを保護カバーで保護し、このコアエッチングを防止する。保護カバーは、端部全体または端部の一部のみを被覆することができる。図１０Ｅを参照すると、ファイバ１０５０は、コア１０５２を含む。保護カバー１０５４が、ファイバの端部上に形成され、エッチング処理中、コアを優先的エッチングから保護する。
【０１４８】
図１１Ａ−１１Ｃは、本発明のある実施形態による、成形ファイバ先端を製作する方法を図示する簡略化された側面図である。図１１Ａ−１１Ｃに関連して説明されるように、図６Ｂに関連して上で議論されるエッチング液と不活性層との間の界面の特性を形成するメニスカスは、レンズをファイバの先端上に形成するために利用されることができる。図１１Ａ−１１Ｃを参照すると、レンズを光ファイバ先端上に製作する方法が、提供される。方法は、放射領域１１１０と、放射面１１１２とを有する光ファイバケーブル１１００を提供することを含む。表面１１２２を有するエッチング溶液１１２０が、提供され、放射面が、図１１Ａに図示されるように、エッチング溶液の表面１１２２と接触するように位置付けられる。図１１Ａに図示される実施形態では、放射面は、表面１１２２の下方に延びず、ファイバの親水性特性は、ファイバの側面の上方へのエッチング液の吸い上げをもたらすが、他の実施形態では、ファイバは、放射面が表面の下方に延びているように位置付けられる。
【０１４９】
ファイバの側面の上方へのエッチング溶液の吸い上げに起因して、メニスカス１１３０が、放射領域１１１０を包囲するエッチング溶液によって形成される。メニスカス１１３０は、放射面からより離れた位置における幅（ｗ２）より大きい放射面１１１２に隣接する幅（ｗ１）によって特徴付けられる。メニスカスは、初期高さ（Ｈ）によって特徴付けられることもできる。
【０１５０】
メニスカス中のエッチング溶液の存在は、図１１Ｂに図示されるように、放射領域をエッチングし、初期エッチングプロファイル１１４０を形成することをもたらすであろう。放射面に隣接して存在するより大量のエッチング液は、放射面に隣接してより速いエッチング率、メニスカスの上部により遅いエッチング率をもたらすであろう。故に、エッチングプロセスは、ファイバ／エッチング液界面に隣接してより多くの材料を除去し、凸面特徴が形成される図１１Ｂに図示される初期エッチングプロファイル１１４０をもたらすであろう。
【０１５１】
初期エッチングプロファイルの形成により、表面張力変化は、初期高さ（Ｈ１）未満の値（Ｈ２）まで高さが減少した後続メニスカスを生成する。メニスカス高さが、減少するにつれて、エッチングプロセスは、図１１Ｃに図示されるように、後続エッチングプロファイル１１５０を継続して形成するであろう。エッチング液が、より少ない程度でファイバの側面の上方に吸い上げられ、それによって、メニスカス高さの関数として、エッチング率を変動させるにつれて、エッチングプロセスは、湾曲レンズをファイバ先端上に形成するであろう。いくつかの実装では、図１１Ａ−１１Ｃに図示されるプロセスは、放射面がもはやエッチング液の表面と接触しなくなるまで、メニスカスが高さを減少させるので、自己限定プロセスとなるであろう。その結果、図１１Ａ−１１Ｃに関連して説明される方法およびシステムは、エッチングが自己限定様式において進むにつれて、メニスカスの高さが変化するので、再現性を提供する。
【０１５２】
レンズ状ファイバ先端の形成に加え、図１１Ａ−１１Ｃに関連して図示される方法はまた、本明細書で議論される他のエッチングプロセスにも適用され、エッチング液に隣接するファイバ位置の制御によって、所望のプロファイルを形成することができる。さらに、本発明の実施形態は、第１のファイバ成形プロセスが、レンズをファイバ先端上に形成するために利用され、エッチング耐性マスクが、製作される先端を保護するために使用され、１つ以上の後続ファイバ成形プロセスが、成形ファイバの他の領域、例えば、テーパ状送達領域、たわみ領域等を形成するために利用される方法およびシステムを含む。当業者に明白であろうように、順序は、逆転され得る。先端を最初に処理する利点は、初期処理の間のファイバの均一性およびサイズであろう。先端を最後に処理する利点は、処理されるまで、先端を保護する能力であり、それは、より繊細な処理ステップを伴い得る。特定の用途に応じて、これらの利点のうちの１つ以上のものが、利用可能であり得る。当業者は、多くの変形例、修正、および代替を認識するであろう。
【０１５３】
図１２は、本発明のある実施形態による、導波管製作システム１２００を図示する簡略化された概略図である。図１２に図示されるように、エッチングシステム１２１０が、ロボット１２１２と、清掃システム１２１４と、マスク形成システム１２１６と、マスク除去システム１２１８と連動し得るように提供される。システム制御は、コンピュータ１２２０によって提供され、それは、１つ以上のプロセッサと、メモリと、他の図示されるシステムと通信するように動作可能である入力／出力インターフェースとを含むことができる。エッチングシステム１２１０は、エッチングされるべき特定の材料に対する必要に応じて、異なるエッチング溶液を利用するマルチタンクシステムであることができる。例えば、第１のタンクは、ＨＦベースのエッチング液を含み、ガラスをエッチングし得、第２のタンクは、Ｈ２ＳＯ４ベースのエッチングを含み、マスク除去システム１２１８と併せて、またはその代わりに、マスク材料をエッチングし得る。チャンバの形態におけるシールされたタンクも、使用されることができる。清掃システム１２１４は、いくつかの実施形態では、マスク除去システム１２１８と統合されることができ、追加の処理のために、または処理後、光学要素を清掃し、それらを準備するために使用されることができる。当業者に明白であろうように、図１２に図示される種々のシステムは、図１２に図示されるシステムのうちの１つ以上のものを含む複合システム要素の中に組み合わせられることができる。
【０１５４】
入力／出力スタック１２２２に提供される光ファイバケーブルまたは他の好適な導波管構造は、ロボット１２１２によってピックアップされ、マスク形成システム１２１６を使用して、部分的にマスクされることができ、次いで、導波管構造の一部は、エッチングシステム１２１０を使用してエッチングされることができる。テーパ状プロファイルが、本明細書に議論されるように製作されることができる。エッチングプロセス後、清掃システム１２１４および／またはマスク除去システム１２１８（例えば、硫酸槽を使用する）が、さらなる処理のために、マスクを除去し、導波管構造を準備するために利用されることができる。
【０１５５】
コンピュータ１２２０の制御下で、ロボットを使用して、導波管構造を種々のシステム間で平行移動させることによって、導波管構造の異なる部分または同一部分が、所望の構造が製作されるまで、プロセスを繰り返すことによって、マスクおよびエッチングされることができる。製作プロセスの完了時、完了された構造は、運動作動システムの要素としてのパッケージングを含む将来的使用のために、入力／出力スタック１２２２の出力区分に移動させられることができる。
【０１５６】
本明細書に説明される例および実施形態が例証的目的のためだけのものであり、それに照らして、種々の修正または変更が、当業者に示唆され、本願の精神および権限ならびに添付の請求項の範囲内に含まれるべきであることも理解されたい。
【図１Ａ】
2020503548.tif 000003
【図１Ｂ】
2020503548.tif 000004
【図１Ｃ】
2020503548.tif 000005
【図１Ｄ】
2020503548.tif 000006
【図１Ｅ】
2020503548.tif 000007
【図１Ｆ】
2020503548.tif 000008
【図１Ｇ】
2020503548.tif 000009
【図２Ａ】
2020503548.tif 000010
【図２Ｂ】
2020503548.tif 000011
【図３Ａ】
2020503548.tif 000012
【図３Ｂ】
2020503548.tif 000013
【図３Ｃ】
2020503548.tif 000014
【図３Ｄ】
2020503548.tif 000015
【図３Ｅ】
2020503548.tif 000016
【図４】
2020503548.tif 000017
【図５Ａ】
2020503548.tif 000018
【図５Ｂ】
2020503548.tif 000019
【図５Ｃ】
2020503548.tif 000020
【図６Ａ】
2020503548.tif 000021
【図６Ｂ】
2020503548.tif 000022
【図６Ｃ】
2020503548.tif 000023
【図６Ｄ】
2020503548.tif 000024
【図６Ｅ】
2020503548.tif 000025
【図７】
2020503548.tif 000026
【図８】
2020503548.tif 000027
【図９】
2020503548.tif 000028
【図１０Ａ】
2020503548.tif 000029
【図１０Ｂ】
2020503548.tif 000030
【図１０Ｃ】
2020503548.tif 000031
【図１０Ｄ】
2020503548.tif 000032
【図１０Ｅ】
2020503548.tif 000033
【図１１Ａ】
2020503548.tif 000034
【図１１Ｂ】
2020503548.tif 000035
【図１１Ｃ】
2020503548.tif 000036
【図１２】
2020503548.tif 000037
【国際調査報告】
2020503548.tif 000038
2020503548.tif 000039
2020503548.tif 000040